(57)【要約】【課題】略六角柱状を呈し、上端の陳列スペースと、該陳列スペースの下方に設けられた陳列スペースを有する陳列台において、下方に設けられた陳列スペースが狭くならず、かつ、略六角柱状を維持することができるとともに、少ないコストで陳列スペースを多くすることができる陳列台を提供する。【解決手段】陳列台１は、陳列台本体５と、２つの棚部２００を有し、棚部２００は、略正六角形を呈し２つ折りにするための折れ線を有する裏板部と、裏体部の上面に設けられた表板部２０４、２０６とを有し、表板部２０４は該折れ線を跨いで形成されている。また、陳列台本体５の内板部８２、１１２、１３２等の下端の突状部は棚部２００Ａと係止し、内板部８８等の下端の突状部は棚部２００Ｂと係止する。また、陳列台本体５の下側は、切目線２４Ｋ−１、２４Ｋ−２、５１Ｋ等により開口するようになっている。【選択図】図１
0003187776.tif 000002
【実用新案登録請求の範囲】
【請求項１】
陳列台であって、
陳列台本体と、棚部とを有し、
陳列台本体が、
正面側面部（２１）と前右側面部（５１）と後右側面部（１４１）と背面側面部（１０１）と後左側面部（１２１）と前左側面部（７１）とを有し、正面側面部、前右側面部、後右側面部、背面側面部、後左側面部、前左側面部の順に形成され、六角筒状に形成された筒状部（６）と、
棚部の棚部正面側差込み片部を差し込むための第１被差込み部（４２ａ）が設けられた第１内板部（４２）と、
棚部の棚部正面側差込み片部を差し込むための第２被差込み部（４６ａ）が設けられた第２内板部（４６）と、
前右側面部から形成された第３内板部で先端に突状部を有する第３内板部（６８）と、
前左側面部から形成された第４内板部で先端に突状部を有する第４内板部（８８）と、
正面側面部以外の側面部における後右側面部と背面側面部と後左側面部における少なくともいずれかと前右側面部と前左側面部である特定側面部の上端から該上端に沿って形成された帯状部を介して形成された第５内板部で側面部側と反対側に突出した突状部を有する第５内板部（６２、８２、１１２、１３２、１５２）と、
特定側面部における後右側面部と背面側面部と後左側面部における少なくともいずれかと前右側面部と前左側面部である抽出特定側面部と第５内板部間の帯状部と隣接して第５内板部と抽出特定側面部間に設けられた第３被差込み部で、他の陳列台の第２差込み片部を差し込むための第３被差込み部（６１、８１、１１１）と、
抽出特定側面部の上端における第３被差込み部に対応した位置に形成された第１差込み片部（５６、７６、１０６）と、
抽出特定側面部の下端から形成された第２差込み片部（６４、８４、１１４）と、
を有し、
正面側面部は、上部正面側面部（２２）と、上部正面側面部の下側に間隔を介して設けられた下部正面側面部（２４）とを有し、下部正面側面部は、第１切目線（２４Ｋ−１）を形成することにより、上側の下部正面側面部本体（２６）と、下側の開き部（２７）とに区画されるとともに、開き部に第１切目線と接続した第２切目線（２４Ｋ−２）を形成することにより、開き部が、前右部側の正面右開き部（２８）と前左部側の正面左開き部（３０）とに区画され、第１内板部は、上部正面側面部の上端から形成されるとともに、第２内板部は、下部正面側面部の上端から形成され、
前右側面部においては、上部正面側面部の下方の開口から連設された切欠部が設けられ、該切欠部の下端は横方向の縁部を有し、第３内板部は該縁部から形成され、第１切目線から連設された第３切目線（５１Ｋ）と第３切目線から下方に前右側面部の下端にまで形成された折れ線又は切目線を形成することにより、正面右開き部から連設された前右開き部（５４）が形成され、
前左側面部においては、上部正面側面部と下部正面側面部間の間隔から連設された切欠部が設けられ、該切欠部の下端は横方向の縁部を有し、第４内板部は該縁部から形成され、第１切目線から連設された第４切目線（７１Ｋ）と第４切目線から下方に前左側面部の下端にまで形成された折れ線又は切目線を形成することにより、正面左開き部から連設された前左開き部（７４）が形成され、
背面側面部には、棚部の棚部背面側差込み片部を差し込むための差込み部で、第１被差込み部と対応した第４被差込み部（１０２Ｋａ）と第２被差込み部と対応した第５被差込み部（１０２Ｋｂ）が設けられ、
第２差込み片部と抽出特定側面部の境界位置には、第１差込み片部を差し込んで係止するための差込み係止部（６５ａ、６５ｂ、８５ａ、８５ｂ、１１４ａ）が設けられ、
陳列台本体が、シート状のブランクにより形成され、
棚部が、第１被差込み部及び第４被差込み部に対応した第１棚部（２００Ａ）と、第２被差込み部と第５被差込み部に対応した第２棚部（２００Ｂ）とを有し、
第１棚部が、棚部本体（２０１）と、第１被差込み部に差し込まれた棚部正面側差込み片部（２０８）と、第４被差込み部に差し込まれた棚部背面側差込み片部（２１０）と、第５内板部の突状部が係止するための突状部係止部（２０４ａ’、２０４ｂ’、２０６ａ’、２０６ｂ’、２０６Ｋ）とを有し、シート状のブランクにより形成され、
第２棚部が、棚部本体（２０１）と、第２被差込み部に差し込まれた棚部正面側差込み片部（２０８）と、第５被差込み部に差し込まれた棚部背面側差込み片部（２１０）と、第３内板部の突状部が係止するための突状部係止部（２０４ａ’）と、第４内板部の突状部が係止するための突状部係止部（２０４ｂ’）を有し、シート状のブランクにより形成され、
第１棚部及び第２棚部において、
棚部本体が、
正面側の辺部と、該正面側の辺部に隣接する前右側の辺部と、該前右側の辺部と隣接する後右側の辺部と、該後右側の辺部と隣接する背面側の辺部と、該背面側の辺部と隣接する後左側の辺部と、該後左側の辺部と隣接する前左側の辺部とを有し、前右側の辺部と後右側の辺部間の角部と前左側の辺部と後左側の辺部間の角部間を結ぶ折れ線である裏板部折れ線（Ｃ２１）を有する裏板部（２０２）と、
裏板部の正面側の辺部から折り返して裏板部と接着して設けられ、前右側の辺部と前左側の辺部とを有する第１表板部構成部（２０４）と、裏板部の背面側の辺部から折り返して裏板部と接着して設けられ、後右側の辺部と後左側の辺部とを有する第２表板部構成部（２０６）とを有する表板部で、第１表板部構成部と第２表板部構成部のいずれか一方が裏板部折れ線を跨いで形成され、裏板部折れ線を跨いで突出した領域は裏板部には接着されていない表板部（２０７）と、を有し、
棚部正面側差込み片部は、第１表板部構成部の正面側の辺部又は裏板部の正面側の辺部から突出して形成され、
棚部背面側差込み片部は、第２表板部構成部の背面側の辺部又は裏体部の背面側の辺部から突出して形成され、
陳列台を組み立てた状態においては、第５内板部の突状部が、第１棚部の突状部係止部に係止し、第３内板部の突状部と第４内板部の突状部が、第２棚部の突状部係止部に係止し、
２つの陳列台における一方の上側に他方を配置し、他方の陳列台における第１切目線〜第４切目線を破断し、正面右開き部（２８）及び前右開き部（５４）を筒状部の内側に沿って配置するとともに、正面左開き部（３０）及び前左開き部（７４）を筒状部の内側に配置するか、又は、第４切目線から下方に形成された切目線を破断するとともに、第５切目線から下方に形成された切目線を破断することにより正面右開き部と前右開き部と正面左開き部と前左開き部とを取り外すことにより他方の陳列台の筒状部の下端領域を開口させた状態で、他方の陳列台の第２差込み片部を一方の陳列台の第３被差込み部（６１、８１、１１１）に差し込むとともに、第１差込み片部（５６、７６、１０６）を第２差込み片部と抽出特定側面部の境界位置に設けられた差込み係止部に係止させることを特徴とする陳列台。
【請求項２】
陳列台を折り畳んだ状態においては、第５内板部の突状部の第１棚部における突状部係止部への係止が解除され、第３内板部の突状部と第４内板部の突状部の第２棚部における突状部係止部への係止が解除され、第１棚部と第２棚部においては、棚部本体が裏板部の裏板部折れ線を介して折曲され、陳列台本体においては、前右側面部と後右側面部間の角度や前左側面部と後左側面部間の角度が、陳列台を組み立てた状態の場合に比べて小さくなって、陳列台を組み立てた状態の場合に比べて、陳列部本体が扁平状態となることを特徴とする請求項１に記載の陳列台。
【請求項３】
第１棚部と第２棚部の突状部係止部は、表板部の辺部からフラップ（２２０、２２２、２２４、２２６）を連設し、該フラップと表板部の境界位置に切込みを形成してフラップから表板部側に突出した突状部を形成することにより、フラップを表板部に対して折曲した際に該切込み形成位置に形成される開口部であることを特徴とする請求項１又は２に記載の陳列台。
【請求項４】
第１被差込み部に差し込まれた棚部正面側差込み片部は、第１内板部と接着され、第２被差込み部に差し込まれた棚部正面側差込み片部は、第２内板部と接着され、第４被差込み部に差し込まれた棚部背面側差込み片部は、背面側面部の外側の面に接着され、第５被差込み部に差し込まれた棚部背面側差込み片部は、背面側面部の外側の面に接着されていることを特徴とする請求項１又は２又は３に記載の陳列台。
【請求項５】
特定側面部が、筒状部における正面部以外の全ての側面部であることを特徴とする請求項１又は２又は３又は４に記載の陳列台。
【請求項６】
第１内板部は、上部正面側面部の上端から上部正面側面部の上端に沿って形成された帯状部を介して形成され、
第２内板部は、下部正面側面部の上端から下部正面側面部の上端に沿って形成された帯状部を介して形成され、
第３内板部は、前右側面部の該縁部から前右側面部の該縁部に沿って形成された帯状部を介して形成され、
第４内板部は、前左側面部の該縁部から前左側面部の該縁部に沿って形成された帯状部を介して形成され、
第１棚部と第２棚部において、第１表板部構成部は、裏板部の正面側の辺部から裏板部の正面側の辺部に沿って形成された帯状部を介して形成され、第２表板部構成部は、裏板部の背面側の辺部から裏板部の背面側の辺部に沿って形成された帯状部を介して形成されていることを特徴とする請求項１又は２又は３又は４又は５に記載の陳列台。
【請求項７】
陳列台であって、
陳列台本体と、陳列台本体に取り付けられた第１棚部（２００Ａ）と、陳列台本体に取り付けられた第２棚部（２００Ｂ）とを有し、
陳列台本体が、
正面側面部（２１）と前右側面部（５１）と後右側面部（１４１）と背面側面部（１０１）と後左側面部（１２１）と前左側面部（７１）とを有し、正面側面部、前右側面部、後右側面部、背面側面部、後左側面部、前左側面部の順に形成され、六角筒状に形成された筒状部（６）と、
棚部の棚部正面側差込み片部を差し込むための第１被差込み部（４２ａ）が設けられた第１内板部（４２）と、
棚部の棚部正面側差込み片部を差し込むための第２被差込み部（４６ａ）が設けられた第２内板部（４６）と、
前右側面部から形成された第３内板部で先端に突状部を有する第３内板部（６８）と、
前左側面部から形成された第４内板部で先端に突状部を有する第４内板部（８８）と、
正面側面部以外の全ての側面部である特定側面部の上端から該上端に沿って形成された帯状部を介して形成された第５内板部で側面部側と反対側に突出した突状部を有する第５内板部（６２、８２、１１２、１３２、１５２）と、
特定側面部における後右側面部と背面側面部と後左側面部における少なくともいずれかと前右側面部と前左側面部である抽出特定側面部と第５内板部間の帯状部と隣接して第５内板部と抽出特定側面部間に設けられた第３被差込み部で、他の陳列台の第２差込み片部を差し込むための第３被差込み部（６１、８１、１１１）と、
抽出特定側面部の上端における第３被差込み部に対応した位置に形成された第１差込み片部（５６、７６、１０６）と、
抽出特定側面部の下端から形成された第２差込み片部（６４、８４、１１４）と、
を有し、
正面側面部は、上部正面側面部（２２）と、上部正面側面部の下側に間隔を介して設けられた下部正面側面部（２４）とを有し、下部正面側面部は、第１切目線（２４Ｋ−１）を形成することにより、上側の下部正面側面部本体（２６）と、下側の開き部（２７）とに区画されるとともに、開き部に第１切目線と接続した第２切目線（２４Ｋ−２）を形成することにより、開き部が、前右部側の正面右開き部（２８）と前左部側の正面左開き部（３０）とに区画され、第１内板部は、上部正面側面部の上端から形成されるとともに、第２内板部は、下部正面側面部の上端から形成され、
前右側面部においては、上部正面側面部の下方の開口から連設された切欠部が設けられ、該切欠部の下端は横方向の縁部を有し、第３内板部は該縁部から形成され、第１切目線から連設された第３切目線（５１Ｋ）と第３切目線から下方に前右側面部の下端にまで形成された折れ線を形成することにより、正面右開き部から連設された前右開き部（５４）が形成され、
前左側面部においては、上部正面側面部と下部正面側面部間の間隔から連設された切欠部が設けられ、該切欠部の下端は横方向の縁部を有し、第４内板部は該縁部から形成され、第１切目線から連設された第４切目線（７１Ｋ）と第４切目線から下方に前左側面部の下端にまで形成された折れ線を形成することにより、正面左開き部から連設された前左開き部（７４）が形成され、
背面側面部には、棚部の棚部背面側差込み片部を差し込むための差込み部で、第１被差込み部と対応した第４被差込み部（１０２Ｋａ）と第２被差込み部と対応した第５被差込み部（１０２Ｋｂ）が設けられ、
第２差込み片部と抽出特定側面部の境界位置には、第１差込み片部を差し込んで係止するための差込み係止部（６５ａ、６５ｂ、８５ａ、８５ｂ、１１４ａ）が設けられ、
陳列台本体が、シート状のブランクにより形成され、
棚部が、第１被差込み部及び第４被差込み部に対応した第１棚部（２００Ａ）と、第２被差込み部と第５被差込み部に対応した第２棚部（２００Ｂ）とを有し、
第１棚部と第２棚部が、ともに、
棚部本体で、正面側の辺部と、該正面側の辺部に隣接する前右側の辺部と、該前右側の辺部と隣接する後右側の辺部と、該後右側の辺部と隣接する背面側の辺部と、該背面側の辺部と隣接する後左側の辺部と、該後左側の辺部と隣接する前左側の辺部とを有し、前右側の辺部と後右側の辺部間の角部と前左側の辺部と後左側の辺部間の角部間を結ぶ折れ線である裏板部折れ線（Ｃ２１）を有する裏板部（２０２）と、裏板部の正面側の辺部から折り返して裏板部と接着して設けられ、前右側の辺部と前左側の辺部とを有する第１表板部構成部（２０４）と、裏板部の背面側の辺部から折り返して裏板部と接着して設けられ、後右側の辺部と後左側の辺部とを有する第２表板部構成部（２０６）とを有する表板部で、第１表板部構成部と第２表板部構成部のいずれか一方が裏板部折れ線を跨いで形成され、裏板部折れ線を跨いで突出した領域は裏板部には接着されていない表板部（２０７）と、を有する棚部本体（２０１）と、
第１表板部構成部の正面側の辺部から突出して形成された棚部正面側差込み片部（２０８）と、
第２表板部構成部の背面側の辺部から突出して形成された棚部背面側差込み片部（２１０）と、
第１表板部構成部の前右側の辺部から連設された第１フラップ（２２０）と、
第１表板部構成部の前左側の辺部から連設された第２フラップ（２２２）と、
第２表板部構成部の後右側の辺部から連設された第３フラップ（２２４）と、
第２表板部構成部の後左側の辺部から連設された第４フラップ（２２６）と、
を有し、
第１棚部と第２棚部とが、それぞれ１枚のシート状のブランクにより形成され、
第１棚部の棚部正面側差込み片部が、第１被差込み部に差し込まれて第１内板部と接着され、第１棚部の棚部背面側差込み片部が、第４被差込み部に差し込まれて背面側面部の外側の面に接着され、第２棚部の棚部正面側差込み片部が、第２被差込み部に差し込まれて第２内板部と接着され、第２棚部の棚部背面側差込み片部が、第５被差込み部に差し込まれて背面側面部の外側の面に接着され、
該第２表板部構成部の棚部背面側差込み片部側の端部位置に、背面側面部に対応する内板部の突状部を係止するための突状部係止部（２０６Ｋ）が設けられ、
該各フラップと表板部構成部の境界位置に切込みを形成してフラップから表板部構成部側に突出した突状部を形成することにより、フラップを表板部構成部に対して折曲した際に該切込み形成位置に開口部により形成された突状部係止部（２０４ａ’、２０４ｂ’、２０６ａ’、２０６ｂ’）が設けられ、
陳列台を組み立てた状態においては、背面側面部に対応する内板部の突状部が、第１棚部の第２表板部構成部の棚部背面側差込み片部側の端部位置に設けられた突状部係止部に係止し、前右部側面部に対応する第５内板部の突状部が、第１棚部の第１フラップに対応する突状部係止部に係止し、前左部側面部に対応する第５内板部の突状部が、第１棚部の第２フラップに対応する突状部係止部に係止し、後右部側面部に対応する第５内板部の突状部が、第１棚部の第３フラップに対応する突状部係止部に係止し、後左部側面部に対応する第５内板部の突状部が、第１棚部の第４フラップに対応する突状部係止部に係止し、
第３内板部の突状部が、第２棚部の第１フラップに対応する突状部係止部に係止し、第４内板部の突状部が、第２棚部の第２フラップに対応する突状部係止部に係止し、
陳列台を折り畳んだ状態においては、第５内板部の突状部の第１棚部における突状部係止部への係止が解除され、第３内板部の突状部と第４内板部の突状部の第２棚部における突状部係止部への係止が解除され、第１棚部と第２棚部においては、棚部本体が裏板部の裏板部折れ線を介して折曲され、陳列台本体においては、前右側面部と後右側面部間の角度や前左側面部と後左側面部間の角度が、陳列台を組み立てた状態の場合に比べて小さくなって、陳列台を組み立てた状態の場合に比べて、陳列部本体が扁平状態となり、
２つの陳列台における一方の上側に他方を配置し、他方の陳列台における第１切目線〜第４切目線を破断し、正面右開き部（２８）を後右側面部の内側に沿って配置し、前右開き部（５４）を前右側面部における前右開き部以外の領域である前右側面部本体（５２）の内側に沿って配置し、正面左開き部（３０）を後左側面部の内側に沿って配置し、前左開き部（７４）を前左側面部における前左開き部以外の領域である前左側面部本体（７２）の内側に沿って配置することにより、他方の陳列台の筒状部の下端領域を開口させた状態で、他方の陳列台の第２差込み片部を一方の陳列台の第３被差込み部（６１、８１、１１１）に差し込むとともに、第１差込み片部（５６、７６、１０６）を第２差込み片部と抽出特定側面部の境界位置に設けられた差込み係止部に係止させることを特徴とする陳列台。
【請求項８】
前右部の下端から形成された第２差込み片部は、前右開き部の下端から形成された第１片部と、前右側面部本体の下端から形成された第２片部とを有し、第１片部と前右開き部の境界位置に開口部が形成されるともに、第２片部と前右側面部の境界位置に開口部が形成され、前右開き部を前右側面部本体の内側に沿って配置した場合に、２つの開口部が重なる位置に設けられ、該２つの開口部により差込み係止部が形成され、
前左部の下端から形成された第２差込み片部は、前左開き部の下端から形成された第３片部と、前左側面部本体の下端から形成された第４片部とを有し、第３片部と前左開き部の境界位置に開口部が形成されるともに、第４片部と前左側面部の境界位置に開口部が形成され、前左開き部を前左側面部本体の内側に沿って配置した場合に、２つの開口部が重なる位置に設けられ、該２つの開口部により差込み係止部が形成されることを特徴とする請求項７に記載の陳列台。
【請求項９】
第１内板部は、上部正面側面部の上端から上部正面側面部の上端に沿って形成された帯状部を介して形成され、
第２内板部は、下部正面側面部の上端から下部正面側面部の上端に沿って形成された帯状部を介して形成され、
第３内板部は、前右側面部の該縁部から前右側面部の該縁部に沿って形成された帯状部を介して形成され、
第４内板部は、前左側面部の該縁部から前左側面部の該縁部に沿って形成された帯状部を介して形成され、
第１棚部と第２棚部において、第１表板部構成部は、裏板部の正面側の辺部から裏板部の正面側の辺部に沿って形成された帯状部を介して形成され、第２表板部構成部は、裏板部の背面側の辺部から裏板部の背面側の辺部に沿って形成された帯状部を介して形成されていることを特徴とする請求項７又は８に記載の陳列台。
【請求項１０】
裏板部を平板状にして棚部本体を展開した状態では、第１表板部構成部の第２表板部構成部側の端部と第２表板構成部の第１表板部構成部側の端部とが、互いに対向して接していることを特徴とする請求項１又は２又は３又は４又は５又は６又は７又は８又は９に記載の陳列台。
【請求項１１】
陳列台本体が、正面側面部と、前右側面部と、前左側面部と、第１内板部と、第２内板部と、第３内板部と、第４内板部とを少なくとも有し、１枚のシート状のブランクにより形成された第１構成部（１０）と、後右側面部と、背面側面部と、後左側面部と、後右部側面部の背面側面部と反対側の辺部から形成された第１糊代部で前右部側面部と接着された第１糊代部と、後左部側面部の背面側面部と反対側の辺部から形成された第２糊代部で前左部側面部と接着された第２糊代部とを少なくとも有し、１枚のシート状のブランクにより形成された第２構成部（１５）とを有することを特徴とする請求項１又は２又は３又は４又は５又は６又は７又は８又は９又は１０に記載の陳列台。
【考案の詳細な説明】
【技術分野】
【０００１】
本考案は、陳列台に関するものであり、特に、略六角柱状を呈し、上端の陳列スペースと、該陳列スペースの下方に設けられた陳列スペースを有する陳列台に関するものである。
【背景技術】
【０００２】
従来より、特に、略六角柱状を呈し、上端の陳列スペースと、該陳列スペースの下方に設けられた陳列スペースを有する陳列台として、特許文献１の複段陳列台や特許文献２の展示台が存在する。
【０００３】
すなわち、特許文献１の複段陳列台においては、柱板１の上部領域へ天床壁３と副床壁４とを天地に隣り合う状態で取り付け、両床壁は連結域２で連結されている事から、天床壁３の床畳み折線２１の箇所を伸ばせば、同時に副床壁４も床状に組み立てられ、柱板１が補強板の役割を果たすものである。つまり、天床壁３と副床壁４のいずれにおいても、前床板７と背床板８が柱板１に接着して固定されている。
【０００４】
また、特許文献２の展示台においては、物品を陳列しうるように形成され、上下方向に沿って折りたたみ可能に形成された展示台１０であって、設置面１１上に設置しうる陳列台部１２と、上記陳列台部１２上方に延設された上方陳列台部１３とを有するものである。つまり、上段に位置する折曲板部３２ａ、３２ｂは、リブ部１６に固定され、下段に位置する折曲板部２０ａ、２０ｂから接合された接合片部２９ａ、２９ｂがリブ部１６に固定されている。
【先行技術文献】
【特許文献】
【０００５】
【特許文献１】特開平９−３０８５５５号公報
【特許文献２】特開２００６−９５２２８号公報
【考案の概要】
【考案が解決しようとする課題】
【０００６】
しかし、特許文献１の複段陳列台においては、柱板１が設けられているので、下段の陳列スペース（つまり、副床壁）において、陳列スペースが狭くなってしまうという問題がある。つまり、柱板１には中窓域５が設けられているが、柱板１の連結域２があることから、陳列スペースが制限されてしまう。
【０００７】
また、特許文献２の展示台においても、同様に、下段の陳列スペース（つまり、折曲板部２０ａ、２０ｂの陳列スペース）がリブ部１６により狭くなってしまうという問題があった。
【０００８】
つまり、特許文献１における柱板１や特許文献２におけるリブ部１６は、略六角柱状を維持するために設けられているものといえるが、柱板１やリブ部１６が設けられていることにより、下段の陳列スペースが狭くなってしまうという問題があった。
【０００９】
また、略六角柱状を呈し、上端の陳列スペースと、該陳列スペースの下方に設けられた陳列スペースを有する陳列台において、陳列スペースをより多くするのが要望されていた。特許文献２の図５には、上端の陳列スペースの下方に二段の陳列スペースを設けた例が開示されているが、特許文献２の図１に示す実施例のタイプと異なるタイプの展示台を用意しなければならず、コストが掛かるという問題があった。
【００１０】
そこで、本考案は、略六角柱状を呈し、上端の陳列スペースと、該陳列スペースの下方に設けられた陳列スペースを有する陳列台において、下方に設けられた陳列スペースが狭くならず、かつ、略六角柱状を維持することができるとともに、少ないコストで陳列スペースを多くすることができる陳列台を提供することを目的とするものである。
【課題を解決するための手段】
【００１１】
本考案は上記問題点を解決するために創作されたものであって、第１には、陳列台であって、陳列台本体と、棚部とを有し、陳列台本体が、正面側面部（２１）と前右側面部（５１）と後右側面部（１４１）と背面側面部（１０１）と後左側面部（１２１）と前左側面部（７１）とを有し、正面側面部、前右側面部、後右側面部、背面側面部、後左側面部、前左側面部の順に形成され、六角筒状に形成された筒状部（６）と、棚部の棚部正面側差込み片部を差し込むための第１被差込み部（４２ａ）が設けられた第１内板部（４２）と、棚部の棚部正面側差込み片部を差し込むための第２被差込み部（４６ａ）が設けられた第２内板部（４６）と、前右側面部から形成された第３内板部で先端に突状部を有する第３内板部（６８）と、前左側面部から形成された第４内板部で先端に突状部を有する第４内板部（８８）と、正面側面部以外の側面部における後右側面部と背面側面部と後左側面部における少なくともいずれかと前右側面部と前左側面部である特定側面部の上端から該上端に沿って形成された帯状部を介して形成された第５内板部で側面部側と反対側に突出した突状部を有する第５内板部（６２、８２、１１２、１３２、１５２）と、特定側面部における後右側面部と背面側面部と後左側面部における少なくともいずれかと前右側面部と前左側面部である抽出特定側面部と第５内板部間の帯状部と隣接して第５内板部と抽出特定側面部間に設けられた第３被差込み部で、他の陳列台の第２差込み片部を差し込むための第３被差込み部（６１、８１、１１１）と、抽出特定側面部の上端における第３被差込み部に対応した位置に形成された第１差込み片部（５６、７６、１０６）と、抽出特定側面部の下端から形成された第２差込み片部（６４、８４、１１４）と、を有し、正面側面部は、上部正面側面部（２２）と、上部正面側面部の下側に間隔を介して設けられた下部正面側面部（２４）とを有し、下部正面側面部は、第１切目線（２４Ｋ−１）を形成することにより、上側の下部正面側面部本体（２６）と、下側の開き部（２７）とに区画されるとともに、開き部に第１切目線と接続した第２切目線（２４Ｋ−２）を形成することにより、開き部が、前右部側の正面右開き部（２８）と前左部側の正面左開き部（３０）とに区画され、第１内板部は、上部正面側面部の上端から形成されるとともに、第２内板部は、下部正面側面部の上端から形成され、前右側面部においては、上部正面側面部の下方の開口から連設された切欠部が設けられ、該切欠部の下端は横方向の縁部を有し、第３内板部は該縁部から形成され、第１切目線から連設された第３切目線（５１Ｋ）と第３切目線から下方に前右側面部の下端にまで形成された折れ線又は切目線を形成することにより、正面右開き部から連設された前右開き部（５４）が形成され、前左側面部においては、上部正面側面部と下部正面側面部間の間隔から連設された切欠部が設けられ、該切欠部の下端は横方向の縁部を有し、第４内板部は該縁部から形成され、第１切目線から連設された第４切目線（７１Ｋ）と第４切目線から下方に前左側面部の下端にまで形成された折れ線又は切目線を形成することにより、正面左開き部から連設された前左開き部（７４）が形成され、背面側面部には、棚部の棚部背面側差込み片部を差し込むための差込み部で、第１被差込み部と対応した第４被差込み部（１０２Ｋａ）と第２被差込み部と対応した第５被差込み部（１０２Ｋｂ）が設けられ、第２差込み片部と抽出特定側面部の境界位置には、第１差込み片部を差し込んで係止するための差込み係止部（６５ａ、６５ｂ、８５ａ、８５ｂ、１１４ａ）が設けられ、陳列台本体が、シート状のブランクにより形成され、棚部が、第１被差込み部及び第４被差込み部に対応した第１棚部（２００Ａ）と、第２被差込み部と第５被差込み部に対応した第２棚部（２００Ｂ）とを有し、第１棚部が、棚部本体（２０１）と、第１被差込み部に差し込まれた棚部正面側差込み片部（２０８）と、第４被差込み部に差し込まれた棚部背面側差込み片部（２１０）と、第５内板部の突状部が係止するための突状部係止部（２０４ａ’、２０４ｂ’、２０６ａ’、２０６ｂ’、２０６Ｋ）とを有し、シート状のブランクにより形成され、第２棚部が、棚部本体（２０１）と、第２被差込み部に差し込まれた棚部正面側差込み片部（２０８）と、第５被差込み部に差し込まれた棚部背面側差込み片部（２１０）と、第３内板部の突状部が係止するための突状部係止部（２０４ａ’）と、第４内板部の突状部が係止するための突状部係止部（２０４ｂ’）を有し、シート状のブランクにより形成され、第１棚部及び第２棚部において、棚部本体が、正面側の辺部と、該正面側の辺部に隣接する前右側の辺部と、該前右側の辺部と隣接する後右側の辺部と、該後右側の辺部と隣接する背面側の辺部と、該背面側の辺部と隣接する後左側の辺部と、該後左側の辺部と隣接する前左側の辺部とを有し、前右側の辺部と後右側の辺部間の角部と前左側の辺部と後左側の辺部間の角部間を結ぶ折れ線である裏板部折れ線（Ｃ２１）を有する裏板部（２０２）と、裏板部の正面側の辺部から折り返して裏板部と接着して設けられ、前右側の辺部と前左側の辺部とを有する第１表板部構成部（２０４）と、裏板部の背面側の辺部から折り返して裏板部と接着して設けられ、後右側の辺部と後左側の辺部とを有する第２表板部構成部（２０６）とを有する表板部で、第１表板部構成部と第２表板部構成部のいずれか一方が裏板部折れ線を跨いで形成され、裏板部折れ線を跨いで突出した領域は裏板部には接着されていない表板部（２０７）と、を有し、棚部正面側差込み片部は、第１表板部構成部の正面側の辺部又は裏板部の正面側の辺部から突出して形成され、棚部背面側差込み片部は、第２表板部構成部の背面側の辺部又は裏体部の背面側の辺部から突出して形成され、陳列台を組み立てた状態においては、第５内板部の突状部が、第１棚部の突状部係止部に係止し、第３内板部の突状部と第４内板部の突状部が、第２棚部の突状部係止部に係止し、２つの陳列台における一方の上側に他方を配置し、他方の陳列台における第１切目線〜第４切目線を破断し、正面右開き部（２８）及び前右開き部（５４）を筒状部の内側に沿って配置するとともに、正面左開き部（３０）及び前左開き部（７４）を筒状部の内側に配置するか、又は、第４切目線から下方に形成された切目線を破断するとともに、第５切目線から下方に形成された切目線を破断することにより正面右開き部と前右開き部と正面左開き部と前左開き部とを取り外すことにより他方の陳列台の筒状部の下端領域を開口させた状態で、他方の陳列台の第２差込み片部を一方の陳列台の第３被差込み部（６１、８１、１１１）に差し込むとともに、第１差込み片部（５６、７６、１０６）を第２差込み片部と抽出特定側面部の境界位置に設けられた差込み係止部に係止させることを特徴とする。
【００１２】
第１の構成の陳列台においては、第１表板部構成部と第２表板部構成部のいずれか一方が裏板部折れ線を跨いで形成されているので、被陳列物を載置した場合でも、棚部本体の強度を保つことができ、平板状の状態を保つことができる。よって、従来例のように、六角筒状の陳列台本体の内側に柱板を設け、該柱板に棚部を接着させる必要がなく、柱板がなくても棚部の強度を保つことができる。また、棚部には、第５内板部の突状部を係止させるので、棚部本体の平板状の状態を保つことができる。棚部の平板状の状態を保つことができるので、柱部を設けなくても略六角柱状の状態を維持することができ、柱部が必要ないので、下方に設けられた陳列スペースが狭くなることがない。
【００１３】
また、複数の陳列台を積み重ね状態とすることができ、例えば、２つの陳列台を積み重ねた場合には、上段の陳列台における上側の棚部の他に３つの陳列スペースを確保することができるので、陳列スペースを多くすることができ、特に、同じ構成の陳列台を用いて陳列スペースを増大できるので、少ないコストで陳列スペースの増大を図ることができる。
【００１４】
また、第２には、上記第１の構成において、陳列台を折り畳んだ状態においては、第５内板部の突状部の第１棚部における突状部係止部への係止が解除され、第３内板部の突状部と第４内板部の突状部の第２棚部における突状部係止部への係止が解除され、第１棚部と第２棚部においては、棚部本体が裏板部の裏板部折れ線を介して折曲され、陳列台本体においては、前右側面部と後右側面部間の角度や前左側面部と後左側面部間の角度が、陳列台を組み立てた状態の場合に比べて小さくなって、陳列台を組み立てた状態の場合に比べて、陳列部本体が扁平状態となることを特徴とする。よって、保管や運搬に際して省スペースを図ることができる。
【００１５】
また、第３には、上記第１又は第２の構成において、第１棚部と第２棚部の突状部係止部は、表板部の辺部からフラップ（２２０、２２２、２２４、２２６）を連設し、該フラップと表板部の境界位置に切込みを形成してフラップから表板部側に突出した突状部を形成することにより、フラップを表板部に対して折曲した際に該切込み形成位置に形成される開口部であることを特徴とする。
【００１６】
また、第４には、上記第１から第３までのいずれかの構成において、第１被差込み部に差し込まれた棚部正面側差込み片部は、第１内板部と接着され、第２被差込み部に差し込まれた棚部正面側差込み片部は、第２内板部と接着され、第４被差込み部に差し込まれた棚部背面側差込み片部は、背面側面部の外側の面に接着され、第５被差込み部に差し込まれた棚部背面側差込み片部は、背面側面部の外側の面に接着されていることを特徴とする。よって、棚部と陳列台本体の固定を強固にすることができる。
【００１７】
また、第５には、上記第１から第４までのいずれかの構成において、特定側面部が、筒状部における正面部以外の全ての側面部であることを特徴とする。
【００１８】
また、第６には、上記第１から第５までのいずれかの構成において、第１内板部は、上部正面側面部の上端から上部正面側面部の上端に沿って形成された帯状部を介して形成され、第２内板部は、下部正面側面部の上端から下部正面側面部の上端に沿って形成された帯状部を介して形成され、第３内板部は、前右側面部の該縁部から前右側面部の該縁部に沿って形成された帯状部を介して形成され、第４内板部は、前左側面部の該縁部から前左側面部の該縁部に沿って形成された帯状部を介して形成され、第１棚部と第２棚部において、第１表板部構成部は、裏板部の正面側の辺部から裏板部の正面側の辺部に沿って形成された帯状部を介して形成され、第２表板部構成部は、裏板部の背面側の辺部から裏板部の背面側の辺部に沿って形成された帯状部を介して形成されていることを特徴とする。
【００１９】
また、第７には、陳列台であって、陳列台本体と、陳列台本体に取り付けられた第１棚部（２００Ａ）と、陳列台本体に取り付けられた第２棚部（２００Ｂ）とを有し、陳列台本体が、正面側面部（２１）と前右側面部（５１）と後右側面部（１４１）と背面側面部（１０１）と後左側面部（１２１）と前左側面部（７１）とを有し、正面側面部、前右側面部、後右側面部、背面側面部、後左側面部、前左側面部の順に形成され、六角筒状に形成された筒状部（６）と、棚部の棚部正面側差込み片部を差し込むための第１被差込み部（４２ａ）が設けられた第１内板部（４２）と、棚部の棚部正面側差込み片部を差し込むための第２被差込み部（４６ａ）が設けられた第２内板部（４６）と、前右側面部から形成された第３内板部で先端に突状部を有する第３内板部（６８）と、前左側面部から形成された第４内板部で先端に突状部を有する第４内板部（８８）と、正面側面部以外の全ての側面部である特定側面部の上端から該上端に沿って形成された帯状部を介して形成された第５内板部で側面部側と反対側に突出した突状部を有する第５内板部（６２、８２、１１２、１３２、１５２）と、特定側面部における後右側面部と背面側面部と後左側面部における少なくともいずれかと前右側面部と前左側面部である抽出特定側面部と第５内板部間の帯状部と隣接して第５内板部と抽出特定側面部間に設けられた第３被差込み部で、他の陳列台の第２差込み片部を差し込むための第３被差込み部（６１、８１、１１１）と、抽出特定側面部の上端における第３被差込み部に対応した位置に形成された第１差込み片部（５６、７６、１０６）と、抽出特定側面部の下端から形成された第２差込み片部（６４、８４、１１４）と、を有し、正面側面部は、上部正面側面部（２２）と、上部正面側面部の下側に間隔を介して設けられた下部正面側面部（２４）とを有し、下部正面側面部は、第１切目線（２４Ｋ−１）を形成することにより、上側の下部正面側面部本体（２６）と、下側の開き部（２７）とに区画されるとともに、開き部に第１切目線と接続した第２切目線（２４Ｋ−２）を形成することにより、開き部が、前右部側の正面右開き部（２８）と前左部側の正面左開き部（３０）とに区画され、第１内板部は、上部正面側面部の上端から形成されるとともに、第２内板部は、下部正面側面部の上端から形成され、前右側面部においては、上部正面側面部の下方の開口から連設された切欠部が設けられ、該切欠部の下端は横方向の縁部を有し、第３内板部は該縁部から形成され、第１切目線から連設された第３切目線（５１Ｋ）と第３切目線から下方に前右側面部の下端にまで形成された折れ線を形成することにより、正面右開き部から連設された前右開き部（５４）が形成され、前左側面部においては、上部正面側面部と下部正面側面部間の間隔から連設された切欠部が設けられ、該切欠部の下端は横方向の縁部を有し、第４内板部は該縁部から形成され、第１切目線から連設された第４切目線（７１Ｋ）と第４切目線から下方に前左側面部の下端にまで形成された折れ線を形成することにより、正面左開き部から連設された前左開き部（７４）が形成され、背面側面部には、棚部の棚部背面側差込み片部を差し込むための差込み部で、第１被差込み部と対応した第４被差込み部（１０２Ｋａ）と第２被差込み部と対応した第５被差込み部（１０２Ｋｂ）が設けられ、第２差込み片部と抽出特定側面部の境界位置には、第１差込み片部を差し込んで係止するための差込み係止部（６５ａ、６５ｂ、８５ａ、８５ｂ、１１４ａ）が設けられ、陳列台本体が、シート状のブランクにより形成され、棚部が、第１被差込み部及び第４被差込み部に対応した第１棚部（２００Ａ）と、第２被差込み部と第５被差込み部に対応した第２棚部（２００Ｂ）とを有し、第１棚部と第２棚部が、ともに、棚部本体で、正面側の辺部と、該正面側の辺部に隣接する前右側の辺部と、該前右側の辺部と隣接する後右側の辺部と、該後右側の辺部と隣接する背面側の辺部と、該背面側の辺部と隣接する後左側の辺部と、該後左側の辺部と隣接する前左側の辺部とを有し、前右側の辺部と後右側の辺部間の角部と前左側の辺部と後左側の辺部間の角部間を結ぶ折れ線である裏板部折れ線（Ｃ２１）を有する裏板部（２０２）と、裏板部の正面側の辺部から折り返して裏板部と接着して設けられ、前右側の辺部と前左側の辺部とを有する第１表板部構成部（２０４）と、裏板部の背面側の辺部から折り返して裏板部と接着して設けられ、後右側の辺部と後左側の辺部とを有する第２表板部構成部（２０６）とを有する表板部で、第１表板部構成部と第２表板部構成部のいずれか一方が裏板部折れ線を跨いで形成され、裏板部折れ線を跨いで突出した領域は裏板部には接着されていない表板部（２０７）と、を有する棚部本体（２０１）と、第１表板部構成部の正面側の辺部から突出して形成された棚部正面側差込み片部（２０８）と、第２表板部構成部の背面側の辺部から突出して形成された棚部背面側差込み片部（２１０）と、第１表板部構成部の前右側の辺部から連設された第１フラップ（２２０）と、第１表板部構成部の前左側の辺部から連設された第２フラップ（２２２）と、第２表板部構成部の後右側の辺部から連設された第３フラップ（２２４）と、第２表板部構成部の後左側の辺部から連設された第４フラップ（２２６）と、を有し、第１棚部と第２棚部とが、それぞれ１枚のシート状のブランクにより形成され、第１棚部の棚部正面側差込み片部が、第１被差込み部に差し込まれて第１内板部と接着され、第１棚部の棚部背面側差込み片部が、第４被差込み部に差し込まれて背面側面部の外側の面に接着され、第２棚部の棚部正面側差込み片部が、第２被差込み部に差し込まれて第２内板部と接着され、第２棚部の棚部背面側差込み片部が、第５被差込み部に差し込まれて背面側面部の外側の面に接着され、該第２表板部構成部の棚部背面側差込み片部側の端部位置に、背面側面部に対応する内板部の突状部を係止するための突状部係止部（２０６Ｋ）が設けられ、該各フラップと表板部構成部の境界位置に切込みを形成してフラップから表板部構成部側に突出した突状部を形成することにより、フラップを表板部構成部に対して折曲した際に該切込み形成位置に開口部により形成された突状部係止部（２０４ａ’、２０４ｂ’、２０６ａ’、２０６ｂ’）が設けられ、陳列台を組み立てた状態においては、背面側面部に対応する内板部の突状部が、第１棚部の第２表板部構成部の棚部背面側差込み片部側の端部位置に設けられた突状部係止部に係止し、前右部側面部に対応する第５内板部の突状部が、第１棚部の第１フラップに対応する突状部係止部に係止し、前左部側面部に対応する第５内板部の突状部が、第１棚部の第２フラップに対応する突状部係止部に係止し、後右部側面部に対応する第５内板部の突状部が、第１棚部の第３フラップに対応する突状部係止部に係止し、後左部側面部に対応する第５内板部の突状部が、第１棚部の第４フラップに対応する突状部係止部に係止し、第３内板部の突状部が、第２棚部の第１フラップに対応する突状部係止部に係止し、第４内板部の突状部が、第２棚部の第２フラップに対応する突状部係止部に係止し、陳列台を折り畳んだ状態においては、第５内板部の突状部の第１棚部における突状部係止部への係止が解除され、第３内板部の突状部と第４内板部の突状部の第２棚部における突状部係止部への係止が解除され、第１棚部と第２棚部においては、棚部本体が裏板部の裏板部折れ線を介して折曲され、陳列台本体においては、前右側面部と後右側面部間の角度や前左側面部と後左側面部間の角度が、陳列台を組み立てた状態の場合に比べて小さくなって、陳列台を組み立てた状態の場合に比べて、陳列部本体が扁平状態となり、２つの陳列台における一方の上側に他方を配置し、他方の陳列台における第１切目線〜第４切目線を破断し、正面右開き部（２８）を後右側面部の内側に沿って配置し、前右開き部（５４）を前右側面部における前右開き部以外の領域である前右側面部本体（５２）の内側に沿って配置し、正面左開き部（３０）を後左側面部の内側に沿って配置し、前左開き部（７４）を前左側面部における前左開き部以外の領域である前左側面部本体（７２）の内側に沿って配置することにより、他方の陳列台の筒状部の下端領域を開口させた状態で、他方の陳列台の第２差込み片部を一方の陳列台の第３被差込み部（６１、８１、１１１）に差し込むとともに、第１差込み片部（５６、７６、１０６）を第２差込み片部と抽出特定側面部の境界位置に設けられた差込み係止部に係止させることを特徴とする。
【００２０】
第７の構成の陳列台においては、第１表板部構成部と第２表板部構成部のいずれか一方が裏板部折れ線を跨いで形成されているので、被陳列物を載置した場合でも、棚部本体の強度を保つことができ、平板状の状態を保つことができる。よって、従来例のように、六角筒状の陳列台本体の内側に柱板を設け、該柱板に棚部を接着させる必要がなく、柱板がなくても棚部の強度を保つことができる。また、棚部には、第５内板部の突状部を係止させるので、棚部本体の平板状の状態を保つことができる。棚部の平板状の状態を保つことができるので、陳列台が不用意に折り畳んでしまうことがなく、よって、柱部を設けなくても略六角柱状の状態を維持することができ、柱部が必要ないので、下方に設けられた陳列スペースが狭くなることがない。
【００２１】
また、複数の陳列台を積み重ね状態とすることができ、例えば、２つの陳列台を積み重ねた場合には、上段の陳列台における上側の棚部の他に３つの陳列スペースを確保することができるので、陳列スペースを多くすることができ、特に、同じ構成の陳列台を用いて陳列スペースを増大できるので、少ないコストで陳列スペースの増大を図ることができる。
【００２２】
また、第８には、上記第７の構成において、前右部の下端から形成された第２差込み片部は、前右開き部の下端から形成された第１片部と、前右側面部本体の下端から形成された第２片部とを有し、第１片部と前右開き部の境界位置に開口部が形成されるともに、第２片部と前右側面部の境界位置に開口部が形成され、前右開き部を前右側面部本体の内側に沿って配置した場合に、２つの開口部が重なる位置に設けられ、該２つの開口部により差込み係止部が形成され、前左部の下端から形成された第２差込み片部は、前左開き部の下端から形成された第３片部と、前左側面部本体の下端から形成された第４片部とを有し、第３片部と前左開き部の境界位置に開口部が形成されるともに、第４片部と前左側面部の境界位置に開口部が形成され、前左開き部を前左側面部本体の内側に沿って配置した場合に、２つの開口部が重なる位置に設けられ、該２つの開口部により差込み係止部が形成されることを特徴とする。
【００２３】
よって、第１片部と第２片部とが重なった状態で差し込まれ、第３片部と第４片部とが重なった状態で差し込まれるので、下側の陳列台１との連結を強固にできる。
【００２４】
なお、上記第８の構成において、前右開き部は、第３切目線から下方に形成された折れ線に沿って形成された帯状部を介して前右側面部本体から形成され、前左開き部は、第４切目線から下方に形成された折れ線に沿って形成された帯状部を介して前右側面部本体から形成されていることを特徴とするものとしてもよい。
【００２５】
また、第９には、上記第７又は第８の構成において、第１内板部は、上部正面側面部の上端から上部正面側面部の上端に沿って形成された帯状部を介して形成され、第２内板部は、下部正面側面部の上端から下部正面側面部の上端に沿って形成された帯状部を介して形成され、第３内板部は、前右側面部の該縁部から前右側面部の該縁部に沿って形成された帯状部を介して形成され、第４内板部は、前左側面部の該縁部から前左側面部の該縁部に沿って形成された帯状部を介して形成され、第１棚部と第２棚部において、第１表板部構成部は、裏板部の正面側の辺部から裏板部の正面側の辺部に沿って形成された帯状部を介して形成され、第２表板部構成部は、裏板部の背面側の辺部から裏板部の背面側の辺部に沿って形成された帯状部を介して形成されていることを特徴とする。
【００２６】
また、第１０には、上記第１から第９までのいずれかの構成において、裏板部を平板状にして棚部本体を展開した状態では、第１表板部構成部の第２表板部構成部側の端部と第２表板構成部の第１表板部構成部側の端部とが、互いに対向して接していることを特徴とする。これにより、第１表板部構成部と第２表板部構成部とで、１つの載置面を形成することができる。
【００２７】
また、第１１には、上記第１から第１０までのいずれかの構成において、陳列台本体が、正面側面部と、前右側面部と、前左側面部と、第１内板部と、第２内板部と、第３内板部と、第４内板部とを少なくとも有し、１枚のシート状のブランクにより形成された第１構成部（１０）と、後右側面部と、背面側面部と、後左側面部と、後右部側面部の背面側面部と反対側の辺部から形成された第１糊代部で前右部側面部と接着された第１糊代部と、後左部側面部の背面側面部と反対側の辺部から形成された第２糊代部で前左部側面部と接着された第２糊代部とを少なくとも有し、１枚のシート状のブランクにより形成された第２構成部（１５）とを有することを特徴とする。
【考案の効果】
【００２８】
本考案に基づく陳列台によれば、第１表板部構成部と第２表板部構成部のいずれか一方が裏板部折れ線を跨いで形成されているので、被陳列物を載置した場合でも、棚部本体の強度を保つことができ、平板状の状態を保つことができる。よって、従来例のように、六角筒状の陳列台本体の内側に柱板を設け、該柱板に棚部を接着させる必要がなく、柱板がなくても棚部の強度を保つことができる。また、棚部には、第５内板部の突状部を係止させるので、棚部本体の平板状の状態を保つことができる。棚部の平板状の状態を保つことができるので、柱部を設けなくても略六角柱状の状態を維持することができ、柱部が必要ないので、下方に設けられた陳列スペースが狭くなることがない。
【００２９】
また、複数の陳列台を積み重ね状態とすることができ、例えば、２つの陳列台を積み重ねた場合には、上段の陳列台における上側の棚部の他に３つの陳列スペースを確保することができるので、陳列スペースを多くすることができ、特に、同じ構成の陳列台を用いて陳列スペースを増大できるので、少ないコストで陳列スペースの増大を図ることができる。
【図面の簡単な説明】
【００３０】
【図１】陳列台の前方斜視図である。
【図２】陳列台の後方斜視図である。
【図３】陳列台の正面図である。
【図４】陳列台の一部破断正面図である。
【図５】陳列台の背面図である。
【図６】陳列台の底面図である。
【図７】棚部の平面図であり、（ａ）はフラップと差込み片部を棚部本体に対して折曲していない状態の平面図であり、（ｂ）はフラップと差込み片部を棚部本体に対して折曲した状態の平面図である。
【図８】棚部の底面図であり、ラップを棚部本体に対して折曲していない状態の底面図である。
【図９】陳列台本体の第１構成部の展開図である。
【図１０】陳列台本体の第２構成部の展開図である。
【図１１】棚部の展開図である。
【図１２】陳列台を折り畳んだ状態を正面側から見た斜視図である。
【図１３】陳列台を折り畳んだ状態を背面側から見た斜視図である。
【図１４】陳列台の組立て工程を示す斜視図である。
【図１５】陳列台の使用状態を示す要部斜視図である。
【図１６】陳列台の使用状態を示す要部斜視図である。
【図１７】陳列台を積み重ねた状態を示す前方斜視図である。
【図１８】陳列台を積み重ねた状態を示す後方斜視図である。
【考案を実施するための形態】
【００３１】
本考案においては、略六角柱状を呈し、上端の陳列スペースと、該陳列スペースの下方に設けられた陳列スペースを有する陳列台において、下方に設けられた陳列スペースが狭くならず、かつ、略六角柱状を維持することができるとともに、少ないコストで陳列スペースを多くすることができる陳列台を提供するという目的を以下のようにして実現した。
【００３２】
本考案に基づく陳列台１は、図１〜図１１に示されるように構成され、全体に略六角柱状を呈し、陳列台１は、陳列台本体５と、陳列台本体５に取り付けられた２つの棚部２００を有している。棚部２００は、陳列台本体５の内側に取り付けられ、陳列台本体５の上側位置と、該上側位置よりも下方の位置（該上側位置と陳列台本体５の下端との間の高さ方向の略中間位置）に設けられている。
【００３３】
ここで、陳列台本体５は、正面側が開口した全体に六角筒状を呈し、シート状のブランク（具体的には、段ボール製（例えば、薄型段ボール製）のブランクや厚紙製のブランク等の紙製のブランク）により形成されている。すなわち、陳列台本体５は、第１構成部１０と、第２構成部１５とから構成され、第１構成部１０と第２構成部１５は、それぞれ、１枚のシート状のブランク（具体的には、段ボール製（例えば、薄型段ボール製）のブランクや厚紙製のブランク等の紙製のブランク）により形成され、第１構成部１０の展開状態は図９に示すように構成され、第２構成部１５の展開状態は図１０に示すように構成されている。
【００３４】
ここで、第１構成部１０は、正面構成部２０と、正面構成部２０の右側面側の辺部から折れ線Ｃ１を介して連設された前右構成部５０と、正面構成部２０の左側面側の辺部から折れ線を介Ｃ２して連設された前左構成部７０とを有している。
【００３５】
正面構成部２０は、陳列台本体５の正面側を構成するものであり、正面部（正面側面部）２１と、正面部２１の上端の辺部（上部正面部２２の上端の辺部）から折れ線を介して連設された帯状部４０と、帯状部４０の正面部２１側とは反対側の辺部から折れ線を介して連設された内板部（第１内板部）４２と、正面部２１における下部正面部２４の上端の辺部から折れ線を介して連設された帯状部４４と、帯状部４４の下部正面部２４とは反対側の辺部から折れ線を介して連設された内板部（第２内板部）４６とを有している。
【００３６】
正面部２１は、上部正面部（上部正面側面部）２２と、上部正面部２２よりも下方に形成された下部正面部（下部正面側面部）２４とを有している。上部正面部２２は、方形状（具体的には、横長長方形状）を呈し、前右部５１及び前左部７１から折れ線を介して連設されている。
【００３７】
また、下部正面部２４は、上部正面部２２の下方に上部正面部２２と間隔を介して設けられ、全体に方形状（具体的には、縦長長方形状）を呈し、前右部５１及び前左部７１から折れ線を介して連設されている。下部正面部２４には、Ｔ字状に切目線（切断予定線）２４Ｋが形成され、切目線２４Ｋは、横方向に形成された（下部正面部２４の下辺と平行に形成された）切目線（第１切目線）２４Ｋ−１と、切目線２４Ｋ−１の横方向の中央位置から下方に形成された切目線（第２切目線）２４Ｋ−２とを有している。切目線２４Ｋ−１、２４Ｋ−２はともにミシン目状の切込みにより形成されている。
【００３８】
下部正面部２４において、切目線２４Ｋ−１よりも上側の領域が下部正面部本体２６となり、切目線２４Ｋ−１よりも下側で切目線２４Ｋ−２よりも右側の領域が正面右開き部２８となり、切目線２４Ｋ−１よりも下側で切目線２４Ｋ−２よりも左側の領域が正面左開き部３０となる。つまり、下部正面部２４は、切目線２４Ｋにより、下部正面部本体２６と、正面右開き部２８と、正面左開き部３０とに区画されている。
【００３９】
また、帯状部４０は、上部正面部２２の上辺に沿って帯状を呈している。帯状部４０においては、上部正面部２２側の辺部が内板部４２側の辺部よりも若干長く形成され、全体に略台形形状を呈している。
【００４０】
また、内板部４２は、方形状（具体的には、横長長方形状）を呈し、内板部４２には、横長帯状に開口した被差込み部（第１被差込み部）４２ａが形成されている。この被差込み部４２ａには、棚部２００の差込み片部２０８が差し込まれ、差し込まれた差込み片部２０８は、表板部２０４に対して下方に折曲した状態で、内板部４２に接着されている（図４参照）。内板部４２の横方向の長さは、帯状部４０の内板部４２側の辺部の長さと同一となっている。
【００４１】
また、帯状部４４は、下部正面部本体２６の上辺に沿って帯状を呈している。帯状部４４においては、下部正面部本体２６側の辺部が内板部４６側の辺部よりも若干長く形成され、全体に略台形形状を呈している。
【００４２】
また、内板部４６は、方形状（具体的には、横長長方形状）を呈し、内板部４６には、横長帯状に開口した被差込み部（第２被差込み部）４６ａが形成されている。この被差込み部４６ａには、棚部２００の差込み片部２０８が差し込まれ、差し込まれた差込み片部２０８は、表板部２０４に対して下方に折曲した状態で、内板部４６に接着されている（図４参照）。内板部４６の横方向の長さは、帯状部４４の内板部４６側の辺部の長さと同一となっている。
【００４３】
なお、第１構成部１０の展開状態においては、上部正面部２２と内板部４６間には間隔（つまり、開口部による間隔）が形成されている。
【００４４】
また、前右構成部５０は、陳列台本体５の斜め右正面側を構成するものであり、前右部（前右側面部）５１と、前右部５１の上端に設けられた差込み片部５６と、前右部５１の上端の辺部（突状部５１ｄ、５１ｅ以外の上辺）から折れ線を介して連設された帯状部６０と、帯状部６０の前右部５１側とは反対側の辺部から折れ線を介して連設された内板部６２と、前右部５１の下端の辺部から折れ線を介して連設された差込み部６４と、前右部５１における切欠部５１ａを形成する辺部５１−１から連設された帯状部６６と、帯状部６６の辺部５１−１と反対側の辺部から連設された内板部６８とを有している。
【００４５】
前右部５１は、縦長長方形状に切欠部５１ａと切欠部５１ｂ、５１ｃと突状部５１ｄ、５１ｅを形成した外形を呈し、前右部本体５２と、前右開き部５４と、帯状部５５とを有している。切欠部５１ａは、帯状部６６との境界をなす辺部５１−１（辺部５１−１は、折れ線Ｃ１に対して直角方向に形成されている）と該辺部５１−１と直角をなす辺部５１−２と辺部５１−２から斜め上方に形成された辺部５１−３により囲まれた台形形状を呈している。また、切欠部５１ｂ、５１ｃは、円弧と直線とからなる形状を呈する。切欠部５１ｂは、上下方向において、糊代部１７０における折曲げ片部１７４の位置に設けられ、折曲げ片部１７４、１４４を内側に折り曲げる際に前右部５１が支障にならないように設けられている。同様に、切欠部５１ｃは、上下方向において、糊代部１７０における折曲げ片部１７６の位置に設けられ、折曲げ片部１７６、１４６を内側に折り曲げる際に前右部５１が支障にならないように設けられている。突状部５１ｄ、５１ｅは、前右部５１の上端から上方に突出して形成され、方形状を呈していて、突状部５１ｄと突状部５１ｅは横方向に互いに間隔を介して形成されている。前右部５１の上辺（突状部５１ｄ、５１ｅの領域以外の上辺）と前右部５１の下辺は、折れ線Ｃ１と直角となっている。
【００４６】
前右部５１においては、前右部５１と下部正面部２４間の折れ線Ｃ１の上下方向の途中位置から斜め下方に切目線（切断予定線）（第３切目線）５１Ｋが形成され、該切目線５１Ｋの下端から折れ線Ｃ１と平行な折れ線Ｃ５１が形成されている。この折れ線Ｃ５１に沿って縦長の帯状部５５が形成され、さらに、この帯状部５５を折れ線Ｃ５１と平行な折れ線Ｃ５２を介して前右開き部５４が形成されている。この前右開き部５４は略台形形状を呈する。折れ線Ｃ５１は、前右部５１における左右方向の中心位置（略中心位置としてもよい）に設けられ、前右開き部５４を前右部本体５２に対して折り返した場合に、前右開き部５４と正面右開き部２８間の折れ線が、後右部本体１４２と糊代部本体１７２間の折れ線Ｃ１３と略一致するように形成されている。
【００４７】
また、前右部本体５２は、前右部５１において前右開き部５４と帯状部５５と差込み片部５６以外の領域である。
【００４８】
また、差込み片部（第１差込み片部）５６は、前右部５１の上端における突状部５１ｄと突状部５１ｅ間の位置に形成されている。差込み片部５６は、突状部５１ｄとの間の切目線（この切目線は突状部５１ｄの下端よりも下方に伸びて形成されている。なお、切目線の代わりに切込みとしてもよい）と突状部５１ｅとの間の切目線（この切目線は突状部５１ｅの下端よりも下方に伸びて形成されている。なお、切目線の代わりに切込みとしてもよい）に挟まれた基端部５６ａと、該基端部５６ａの上端から折れ線を介して連設され基端部５６ａの横幅よりも大きい横幅に形成された先端部５６ｂとを有している。先端部５６ｂは、上方に向けて尖った形状をしている。なお、基端部５６ａにおける高さ方向の途中位置に折れ線が形成されている。つまり、基端部５６ａと先端部５６ｂ間の折れ線の下方に横方向に折れ線が形成されている。
【００４９】
また、帯状部６０は、突状部５１ｄの正面構成部２０側に形成された帯状部６０ａと、突状部５１ｅの後右構成部１４０側に形成された帯状部６０ｂとを有している。帯状部６０ａの正面構成部２０側の辺部は、内板部６２側にいくほど内側に傾斜し、帯状部６０ｂの後右構成部１４０側の辺部は、内板部６２側にいくほど内側に傾斜してい形成されている。帯状部６０ａ、６０ｂの前右部５１側の辺部と内板部６２側の辺部は互いに平行である。なお、陳列台本体５の組立て状態では、帯状部６０ａと帯状部６０ｂ間に、差込み部６４を差し込むための被差込み部（第３被差込み部）６１が構成される。
【００５０】
また、内板部（第５内板部）６２は、帯状部６０ａ、６０ｂにおける前右部５１とは反対側の辺部から連設され、帯状部６０ａとの間の辺部に対して直角の辺部６２ａと、帯状部６０ｂとの間の辺部に対して直角の辺部６２ｂと、辺部６２ａ、６２ｂと直角の辺部６２ｃを有している。また、内板部６２は、帯状部６０とは反対側に突状部６３を有している。この突状部６３は、横長帯状（横長台形形状としてもよい）に形成され、棚部２００（上側に設けられた棚部２００）における表板部２０４の切込み２０４ａにより形成される穴部に係止する。内板部６２は、突状部５１ｄ、５１ｅ及び差込み片部５６とは切込みにより区画されている。
【００５１】
また、差込み部（第２差込み片部）６４は、前右部５１の下端から折れ線を介して連設され、差込み部６４の展開状態では、略台形形状の先端に略台形形状を設けた形状を呈している。この差込み部６４は、前右部本体５２の下端から折れ線を介して連設された差込み部片部６４ａと、差込み部片部６４ａから折れ線を介して連設されるとともに帯状部５５から折れ線を介して連設された帯状部６４ｂと、前右開き部５４から折れ線を介して連設されるとともに帯状部６４ｂから折れ線を介して連設された差込み部片部６４ｃとを有している。帯状部６４ｂの両側の折れ線は、折れ線Ｃ５１、Ｃ５２の延長線上に形成されている。差込み部片部６４ａと差込み部片部６４ｃとは、帯状部６４ｂを介して対称に形成されている。前右部本体５２と差込み部片部６４ａ間の境界位置には、横長長方形状の開口部６５ａが形成され、前右開き部５４と差込み部片部６４ｃ間の境界位置には、横長長方形状の開口部６５ｂが形成されている。開口部６５ａと開口部６５ｂとは、同大同形状に形成されている。前右開き部５４を帯状部６４ｂを介して前右部本体５２の内側に折り返した状態では、開口部６５ａと開口部６５ｂとが重なり、１つの開口部（被差込み部）を形成し、２つの陳列台１を上下方向に重ねた際に、差込み片部５６を該開口部に差し込むことができる。
【００５２】
また、帯状部６６は、前右部本体５２の辺部５１−１から折れ線を介して連設され、横方向に形成されている。
【００５３】
また、内板部（第３内板部）６８は、帯状部６６の辺部５１−１側とは反対側の辺部から折れ線を介して連設され、方形状の先端に突状部６８ａを形成した形状を呈している。この突状部６８ａは、棚部２００（下側に設けられた棚部２００）における表板部２０４の切込み２０４ａにより形成される穴部に係止する。
【００５４】
また、前左構成部７０は、陳列台本体５の斜め右正面側を構成するものであり、前左部（前左側面部）７１と、前左部７１の上端に設けられた差込み片部７６と、前左部７１の上端の辺部（突状部７１ｄ、７１ｅ以外の上辺）から折れ線を介して連設された帯状部８０と、帯状部８０の前左部７１側とは反対側の辺部から折れ線を介して連設された内板部８２と、前左部７１の下端の辺部から折れ線を介して連設された差込み部８４と、前左部７１における切欠部７１ａを形成する辺部７１−１から連設された帯状部８６と、帯状部８６の辺部７１−１と反対側の辺部から連設された内板部（第４内板部）８８とを有している。
【００５５】
前左構成部７０は、前右構成部５０と対称に形成され、第１構成部１０の展開状態において、前左構成部７０は、前右構成部５０と線対称に形成されている。
【００５６】
すなわち、前左部７１は、縦長長方形状に切欠部７１ａと切欠部７１ｂ、７１ｃと突状部７１ｄ、７１ｅを形成した外形を呈し、前左部本体７２と、前左開き部７４と、帯状部７５とを有している。前左部７１は、前右部５１と対称に形成され、前左部本体７２は、前右部本体５２と対称に形成され、前左開き部７４は、前右開き部５４と対称に形成され、帯状部７５は、帯状部５５と対称に形成され、差込み片部７６は、差込み片部５６と対称に形成されている。
【００５７】
切欠部７１ａは、帯状部８６との境界をなす辺部７１−１（辺部７１−１は、折れ線Ｃ２に対して直角方向に形成されている）と該辺部７１−１と直角をなす辺部７１−２と辺部７１−２から斜め上方に形成された辺部７１−３により囲まれた台形形状を呈している。また、切欠部７１ｂ、７１ｃは、円弧と直線とからなる形状を呈する。切欠部７１ｂは、上下方向において、糊代部１６０における折曲げ片部１６４の位置に設けられ、折曲げ片部１６４、１２４を内側に折り曲げる際に前左部７１が支障にならないように設けられている。同様に、切欠部７１ｃは、上下方向において、糊代部１６０における折曲げ片部１６６の位置に設けられ、折曲げ片部１６６、１２６を内側に折り曲げる際に前左部７１が支障にならないように設けられている。突状部７１ｄ、７１ｅは、前左部７１の上端から上方に突出して形成され、方形状を呈していて、突状部７１ｄと突状部７１ｅは横方向に互いに間隔を介して形成されている。前左部７１の上辺（突状部７１ｄ、７１ｅの領域以外の上辺）と前左部７１の下辺は、折れ線Ｃ２と直角となっている。
【００５８】
前左部７１においては、前左部７１と下部正面部２４間の折れ線Ｃ２（折れ線Ｃ２は折れ線Ｃ１と平行になっている）の上下方向の途中位置から斜め下方に切目線（切断予定線）（第４切目線）７１Ｋが形成され、該切目線７１Ｋの下端から折れ線Ｃ２と平行な折れ線Ｃ７１が形成されている。この折れ線Ｃ７１に沿って縦長の帯状部７５が形成され、さらに、この帯状部７５を折れ線Ｃ７１と平行な折れ線Ｃ５２を介して前左開き部７４が形成されている。この前左開き部７４は略台形形状を呈する。折れ線Ｃ７１は、前左部７１における左右方向の中心位置（略中心位置としてもよい）に設けられ、前左開き部７４を前左部本体７２に対して折り返した場合に、前左開き部７４と正面左開き部３０間の折れ線が、後左部本体１２２と糊代部本体１６２間の折れ線Ｃ１４と略一致するように形成されている。
【００５９】
なお、折れ線Ｃ５１、Ｃ５２の代わりに切目線とし、折れ線Ｃ７１、Ｃ７２の代わりに切目線として、正面右開き部２８と正面左開き部３０と前右開き部５４と前左開き部７４を陳列台本体５から取り外すことができるようにしてもよい。
【００６０】
また、差込み片部（第１差込み片部）７６は、前左部７１の上端における突状部７１ｄと突状部７１ｅ間の位置に形成されている。差込み片部７６は、突状部７１ｄとの間の切目線（この切目線は突状部７１ｄの下端よりも下方に伸びて形成されている。なお、切目線の代わりに切込みとしてもよい）と突状部７１ｅとの間の切目線（この切目線は突状部７１ｅの下端よりも下方に伸びて形成されている。なお、切目線の代わりに切込みとしてもよい）に挟まれた基端部７６ａと、該基端部７６ａの上端から折れ線を介して連設され基端部７６ａの横幅よりも大きい横幅に形成された先端部７６ｂとを有している。先端部７６ｂは、上方に向けて尖った形状をしている。なお、基端部７６ａにおける高さ方向の途中位置に折れ線が形成されている。つまり、基端部７６ａと先端部７６ｂ間の折れ線の下方に横方向に折れ線が形成されている。
【００６１】
また、前左部本体７２は、前左部７１において前左開き部７４と帯状部７５と差込み片部７６以外の領域である。
【００６２】
また、帯状部８０は、突状部７１ｄの正面構成部２０側に形成された帯状部８０ａと、突状部７１ｅの後左構成部１２０側に形成された帯状部８０ｂとを有している。帯状部８０ａは帯状部６０ａと対称に形成され、帯状部８０ｂは帯状部６０ｂと対称に形成されている。なお、陳列台本体５の組立て状態では、帯状部８０ａと帯状部８０ｂ間に、差込み部８４を差し込むための被差込み部（第３被差込み部）８１が構成される。
【００６３】
また、内板部（第５内板部）８２は、帯状部８０ａ、８０ｂにおける前左部７１とは反対側の辺部から連設され、内板部６２と対称に形成されている。内板部８２は、帯状部８０とは反対側に突状部８３を有している。この突状部８３は、棚部２００（上側に設けられた棚部２００）における表板部２０４の切込み２０４ｂにより形成される穴部に係止する。
【００６４】
また、差込み部（第２差込み片部）８４は、前左部７１の下端から折れ線を介して連設され、差込み部８４の展開状態では、略台形形状の先端に略台形形状を設けた形状を呈している。この差込み部８４は、前左部本体７２の下端から折れ線を介して連設された差込み部片部８４ａと、差込み部片部８４ａから折れ線を介して連設されるとともに帯状部７５から折れ線を介して連設された帯状部８４ｂと、前左開き部７４から折れ線を介して連設されるとともに帯状部８４ｂから折れ線を介して連設された差込み部片部８４ｃとを有している。帯状部８４ｂの両側の折れ線は、折れ線Ｃ７１、Ｃ７２の延長線上に形成されている。差込み部片部８４ａと差込み部片部８４ｃとは、帯状部８４ｂを介して対称に形成されている。前左部本体７２と差込み部片部８４ａ間の境界位置には、横長長方形状の開口部８５ａが形成され、前左開き部７４と差込み部片部８４ｃ間の境界位置には、横長長方形状の開口部８５ｂが形成されている。開口部８５ａと開口部８５ｂとは、同大同形状に形成されている。前左開き部７４を帯状部８４ｂを介して前左部本体７２の内側に折り返した状態では、開口部８５ａと開口部８５ｂとが重なり、１つの開口部を形成し、２つの陳列台１を上下方向に重ねた際に、差込み片部７６を該開口部に差し込むことができる。
【００６５】
また、帯状部８６は、前左部本体７２の辺部５７−１から折れ線を介して連設され、横方向に形成されている。
【００６６】
また、内板部８８は、帯状部８６の辺部７１−１側とは反対側の辺部から折れ線を介して連設され、方形状の先端に突状部８８ａを形成した形状を呈している。この突状部８８ａは、棚部２００（下側に設けられた棚部２００）における表板部２０４の切込み２０４ｂにより形成される穴部に係止する。
【００６７】
次に、第２構成部１５は、背面構成部１００と、背面構成部１００の左側面側の辺部から折れ線Ｃ１２を介して連設された後左構成部１２０と、背面構成部１００の右側面側の辺部から折れ線Ｃ１１を介して連設された後右構成部１４０と、後左構成部１２０における後左部１２１の背面部１０１とは反対側の辺部から折れ線Ｃ１４を介して連設された糊代部１６０と、後右構成部１４０における後右部１４１の背面部１０１とは反対側の辺部から折れ線Ｃ１３を介して連設された糊代部１７０とを有している。
【００６８】
背面構成部１００は、陳列台本体５の背面側を構成するものであり、背面部（背面側面部）１０１と、背面部１０１の上端に設けられた差込み片部１０６と、背面部１０１の上端の辺部（突状部１０４、１０５以外の上辺）から折れ線を介して連設された帯状部１１０と、帯状部１１０の背面部１０１側とは反対側の辺部から折れ線を介して連設された内板部１１２と、背面部１０１の下端の辺部から折れ線を介して連設されたフラップ１１４とを有している。
【００６９】
背面部１０１は、略縦長長方形状の外形を呈し、背面部本体１０２と、背面部本体１０２の上辺（帯状部１１０が形成された上辺と差込み片部１０６が形成された上辺以外の上辺）から折れ線を介して上方に形成された突状部１０４、１０５と、背面部本体１０２の上辺（帯状部１１０が形成された上辺と突状部１０４、１０５が形成された上辺以外の上辺であり、帯状部１１０が形成された上辺の延長線上にある）から折れ線を介して連設された差込み片部１０６とを有している。
【００７０】
背面部本体１０２の上端は、突状部１０４、１０５による２つの凹部が形成された形状を呈している。
【００７１】
突状部１０４は、背面部本体１０２の上端の２つの凹部のうち後右構成部１４０側の凹部から折れ線を介して上方に形成され、方形状を呈している。突状部１０５は、背面部本体１０２の上端の２つの凹部のうち後左構成部１２０側の凹部から折れ線を介して上方に形成され、方形状を呈している。
【００７２】
差込み片部（第１差込み片部）１０６は、背面部１０１の上端（すなわち、背面部１０１の上辺で、帯状部１１０が形成された上辺と突状部１０４、１０５が形成された上辺以外の上辺であり、突状部１０４と突状部１０５間の上辺。該上辺は、帯状部１１０が形成された上辺の延長線上にある）から折れ線を介して連設され、突状部１０４との間の切目線（この切目線は突状部１０４の下端よりも下方に伸びて形成されている。なお、切目線の代わりに切込みとしてもよい）と突状部１０５の間の切目線（この切目線は突状部１０５の下端よりも下方に伸びて形成されている。なお、切目線の代わりに切込みとしてもよい）に挟まれた基端部１０６ａと、該基端部１０６ａの上端から折れ線を介して連設され基端部１０６ａの横幅よりも大きい横幅に形成された先端部１０６ｂとを有している。先端部１０６ｂは、上方に向けて尖った形状をしている。なお、基端部１０６ａにおける高さ方向の途中位置に折れ線が形成されている。つまり、基端部１０６ａと先端部１０６ｂ間の折れ線の下方に横方向に折れ線が形成されている。
【００７３】
また、帯状部１１０は、突状部１０４の後右構成部１４０側に形成された帯状部１１０ａと、突状部１０５の後左構成部１２０側に形成された帯状部１１０ｂとを有している。帯状部１１０ａの後右構成部１４０側の辺部は、内板部１１２側にいくほど内側に傾斜し、帯状部１１０ｂの後左構成部１２０側の辺部は、内板部１１２側にいくほど内側に傾斜してい形成されている。帯状部１１０ａ、１１０ｂの背面部１０１側の辺部と内板部１１２側の辺部は互いに平行である。なお、陳列台本体５の組立て状態では、帯状部１１０ａと帯状部１１０ｂ間に、フラップ１１４を差し込むための被差込み部（第３被差込み部）１１１が構成される。
【００７４】
また、内板部（第５内板部）１１２は、帯状部１１０ａ、１１０ｂにおける背面部１０１とは反対側の辺部から連設され、帯状部１００ａとの間の辺部に対して直角の辺部１１２ａと、帯状部１１０ｂとの間の辺部に対して直角の辺部１１２ｂと、辺部１１２ａ、１１２ｂと直角の辺部１１２ｃを有している。また、内板部１１２は、帯状部１１０とは反対側に突状部１１３を有している。この突状部１１３は、棚部２００（上側に設けられた棚部２００）における表板部２０６の開口部２０６Ｋ（差込み片部２１０との境界に接してい形成された穴部）に係止する。内板部１１２は、突状部１０４、１０６及び差込み片部１０６とは切込みにより区画されている。
【００７５】
また、フラップ（第２差込み片部）１１４は、背面部本体１０２の下辺から折れ線を介して連設され、略台形形状を呈している。このフラップ１１４と背面部本体１０２間には、開口部１１４ａ（被差込み部）が形成されている。この開口部１１４ａは、半円形状と細長長方形状とを組み合わせた形成であり、半円形状が開口が細長長方形状の開口の上側に連設されている。この開口部１１４ａには、２つの陳列台１を上下方向に重ねた際に、差込み片部１０６が差し込まれる。
【００７６】
また、背面部本体１０２には、上側と下側に略方形状の開口部１０２ａ、１０２ｂが形成され、さらに、開口部１０２ａと開口部１０２ｂの間に細長長方形状と半円形状により形成された開口部１０２ｃと開口部１０２ｃの両端から上方に連設された切込み１０２ｄ、１０２ｅとからなる被差込み部１０２Ｋｂが形成されている。この被差込み部１０２Ｋｂには、棚部２００の差込み片部２１０が差し込まれ、差し込まれた差込み片部２１０は、下方に折曲した状態で背面部本体１０２の外側の面に接着される。
【００７７】
また、開口部１０２ａの上側には、細長長方形状と半円形状により形成された開口部からなる被差込み部１０２Ｋａが設けられ、この被差込み部１０２Ｋａには、棚部２００の差込み片部２１０が差し込まれ、差し込まれた差込み片部２１０は、下方に折曲した状態で背面部本体１０２の外側の面に接着される。
【００７８】
また、後左構成部１２０は、陳列台本体５の斜め左背面側を構成するものであり、後左部（後左側面部）１２１と、後左部１２１の上端の辺部から折れ線を介して連設された帯状部１３０と、帯状部１３０の後左部１２１側とは反対側の辺部から折れ線を介して連設された内板部１３２とを有している。
【００７９】
ここで、後左部１２１は、全体に方形状（縦長長方形状）を呈し、後左部本体１２２と、折曲げ片部１２４、１２６とを有している。つまり、折曲げ片部１２４は、後左部１２１の糊代部１６０側の辺部に沿って後左部１２１の上側に形成され、一対の横方向の切込みと一対の縦方向の折れ線により囲まれて形成されている。一対の縦方向の折れ線の糊代部１６０側の折れ線は、折れ線Ｃ１４の延長線上に形成されている。また、折曲げ片部１２６は、後左部１２１の糊代部１６０側の辺部に沿って後左部１２１の下側に形成され、一対の横方向の切込みと一対の縦方向の折れ線により囲まれて形成されている。一対の縦方向の折れ線の糊代部１６０側の折れ線は、折れ線Ｃ１４の延長線上に形成されている。
【００８０】
また、後左部本体１２２は、後左部１２１における折曲げ片部１２４、１２６以外の部分であり、縦長長方形状に対して折曲げ片部１２４を形成するための凹部と折曲げ片部１２６を形成するための凹部を形成した形状であるといえる。
【００８１】
また、帯状部１３０は、後左部１２１の上辺に沿って帯状を呈している。帯状部１３０においては、後左部１２１側の辺部が内板部１３２側の辺部よりも若干長く形成され、全体に略台形形状を呈している。
【００８２】
また、内板部（第５内板部）１３２は、帯状部１３０における後左部１２１とは反対側の辺部から連設され、横長長方形状の先端に突状部１３３を形成した形状を呈している。つまり、突状部１３３は、横長帯状（横長台形形状としてもよい）に形成され、内板部１３２における帯状部１３０側とは反対側の辺部に突出して形成されている。突状部１３３は、棚部２００（上側に設けられた棚部２００）における表板部２０４の切込み２０６ｂにより形成される穴部に係止する。
【００８３】
また、後右構成部１４０は、陳列台本体５の斜め右背面側を構成するものであり、後右部（後右側面部）１４１と、後右部１４１の上端の辺部から折れ線を介して連設された帯状部１５０と、帯状部１５０の後右部１４１側とは反対側の辺部から折れ線を介して連設された内板部１５２とを有している。
【００８４】
後右構成部１４０は、後左構成部１２０と対称に形成され、第２構成部１５の展開状態において、後右構成部１４０は、後左構成部１２０と線対称に形成されている。
【００８５】
後右部１４１は、全体に方形状（縦長長方形状）を呈し、後右部本体１４２と、折曲げ片部１４４、１４６とを有している。つまり、折曲げ片部１４４は、後左部１２１の糊代部１７０側の辺部に沿って後右部１４１の上側に形成され、一対の横方向の切込みと一対の縦方向の折れ線により囲まれて形成されている。一対の縦方向の折れ線の糊代部１７０側の折れ線は、折れ線Ｃ１３の延長線上に形成されている。また、折曲げ片部１４６は、後右部１４１の糊代部１７０側の辺部に沿って後右部１４１の下側に形成され、一対の横方向の切込みと一対の縦方向の折れ線により囲まれて形成されている。一対の縦方向の折れ線の糊代部１７０側の折れ線は、折れ線Ｃ１３の延長線上に形成されている。
【００８６】
また、帯状部１５０は、後右部１４１の上辺に沿って帯状を呈している。帯状部１５０においては、後右部１４１側の辺部が内板部１５２側の辺部よりも若干長く形成され、全体に略台形形状を呈している。
【００８７】
また、内板部（第５内板部）１５２は、帯状部１５０における後右部１４１とは反対側の辺部から連設され、横長長方形状の先端に突状部１５３を形成した形状を呈している。つまり、突状部１５３は、横長帯状（横長台形形状としてもよい）に形成され、内板部１５２における帯状部１５０側とは反対側の辺部に突出して形成されている。突状部１５３は、棚部２００（上側に設けられた棚部２００）における表板部２０４の切込み２０６ａにより形成される穴部に係止する。
【００８８】
また、糊代部１６０は、縦方向の帯状を呈し、具体的には、台形形状の上端の一部に切欠き（差込み片部７６と重ならないための切欠き）を設けた形状を呈し、糊代部本体１６２と、折曲げ片部１６４、１６６とを有している。
【００８９】
つまり、折曲げ片部１６４は、糊代部１６０の後左部１２１側の辺部に沿って糊代部１６０の上側に形成され、一対の横方向の切込みと一対の縦方向の折れ線により囲まれて形成されている。一対の縦方向の折れ線の後左部１２１側の折れ線は、折れ線Ｃ１４の延長線上に形成されている。つまり、折曲げ片部１６４は、折れ線を介して折曲げ片部１２４と隣接している。また、折曲げ片部１６６は、糊代部１６０の後左部１２１側の辺部に沿って糊代部１６０の下側に形成され、一対の横方向の切込みと一対の縦方向の折れ線により囲まれて形成されている。一対の縦方向の折れ線の後左部１２１側の折れ線は、折れ線Ｃ１４の延長線上に形成されている。つまり、折曲げ片部１６６は、折れ線を介して折曲げ片部１２６と隣接している。
【００９０】
糊代部本体１６２は、前左部７１の正面部２１と反対側の辺部に沿った領域の内側の面に接着されている。つまり、糊代部本体１６２のハッチングに示す領域に接着剤を塗布することにより、前左部７１と接着されている。
【００９１】
また、糊代部本体１６２は、糊代部１６０における折曲げ片部１６４、１６６以外の部分である。つまり、糊代部本体１７２のハッチングに示す領域に接着剤を塗布することにより、前右部５１と接着されている。
【００９２】
また、糊代部１７０は、縦方向の帯状を呈し、具体的には、台形形状の上端の一部に切欠き（差込み片部５６と重ならないための切欠き）を設けた形状を呈し、糊代部本体１７２と、折曲げ片部１７４、１７６とを有している。糊代部１７０は、糊代部１６０と対称に形成され、第２構成部１５の展開状態において、糊代部１７０は、糊代部１６０と線対称に形成されている。折曲げ片部１７４は、折れ線（折れ線Ｃ１３の延長線上の折れ線）を介して折曲げ片部１４４と隣接し、折曲げ片部１７６は、折れ線（折れ線Ｃ１３の延長線上の折れ線）を介して折曲げ片部１４６と隣接している。
【００９３】
糊代部本体１７２は、前右部５１の正面部２１と反対側の辺部に沿った領域の内側の面に接着されている。
【００９４】
なお、正面部２１の横幅（折れ線Ｃ１と折れ線Ｃ２間の長さ）と、前右部５１の横幅（折れ線Ｃ１と折れ線Ｃ１と反対側の辺部（直線状の辺部）間の長さ）と、前左部７１の横幅（折れ線Ｃ２と折れ線Ｃ２と反対側の辺部（直線状の辺部）間の長さ）と、背面部１０１の横幅（折れ線Ｃ１１と折れ線Ｃ１２間の長さ）と、後左部１２１の横幅（折れ線Ｃ１２と折れ線Ｃ１２と反対側の辺部（折曲げ片部１２４、１２６形成位置以外の辺部）間の長さ）と、後右部１４１の横幅（折れ線Ｃ１１と折れ線Ｃ１１と反対側の辺部（折曲げ片部１４４、１４６形成位置以外の辺部）間の長さ）とは略同一に形成されていて、陳列部本体５を組み立てた状態では、六角筒状に形成される。なお、正面部２１と前右部５１と後右部１４１と背面部１０１と後左部１２１と前左部７１とで筒状部６が構成される。
【００９５】
また、この筒状部６においては、正面部２１における上部正面部２２と下部正面部２４間の隙間と、前右部５１の切欠部５１ａと、前左部７１の切欠部７１ａにより形成された開口部ＫＡが形成される。
【００９６】
また、背面部１０１と前右部５１と前左部７１は、特定側面部における後右部１４１と背面部１０１と後左部１２１における少なくともいずれかと前右部５１と前左部７１である抽出特定側面部（すなわち、特定側面部から抽出された側面部）（選定特定側面部、選定側面部としてもよい）となる。なお、背面部１０１の代わりに後左部１２１や後右部１４１を抽出特定側面部として、上端に設けられる差込み片部（差込み片部１０６と同様の構成の差込み片部）や下端に設けられるフラップ（フラップ１１４と同様の構成のフラップ）を設けるようにしてもよい。
【００９７】
次に、棚部２００は、図７、図８、図１１に示すように構成され、棚部本体２０１と、棚部本体２０１から突出して形成されたフラップ２２０、２２２、２２４、２２６と、棚部本体２０１から突出して形成された差込み片部２０８、２１０とを有している。棚部２００は、１枚のシート状のブランク（具体的には、段ボール製（例えば、薄型段ボール製）のブランクや厚紙製のブランク等の紙製のブランク）により形成され、展開状態は図１１に示すように構成されている。
【００９８】
ここで、棚部本体２０１は、裏板部２０２と、裏板部２０２の正面側の辺部から連設された帯状部２０３と、帯状部２０３の裏板部２０２とは反対側の辺部から連設された表板部（第１表板部構成部）２０４と、裏板部２０２の背面側の辺部から連設された帯状部２０５と、帯状部２０５の裏板部２０２とは反対側の辺部から連設された表板部（第２表板部構成部）２０６とを有している。なお、裏板部２０２のハッチングに示す領域に接着剤を塗布して、表板部２０４を帯状部２０３を介して裏板部２０２側に折り返すことにより裏板部２０２と接着され、表板部２０６のハッチングに接着剤を塗布して、表板部２０６を帯状部２０５を介して裏板部２０２側に折り返す（表板部２０４が接着されている面の側に折り返す）ことにより裏板部２０２と接着され、棚部本体２０１を展開した状態で、表板部２０４と表板部２０６とで棚部本体２１０の表側の面が構成される。なお、表板部２０４の差込み片部２０８とは反対側の端部領域（折れ線Ｃ２１よりも突出した領域）は、裏板部２０２には接着されていない。なお、表板部２０４と表板部２０６とで、表板部２０７が構成される。
【００９９】
裏板部２０２は、略正六角形を呈し、具体的には、正六角形に対して差込み片部２０８を形成するための切欠部と差込み片部２１０を形成するための切欠部と細長台形形状の切欠部２０２ａ〜２０２ｄを形成した形状となっている。差込み片部２０８を形成するための切欠部は、裏板部２０２の正面側の辺部に設けられ、差込み片部２１０を形成するための切欠部は、裏板部２０２の背面側の辺部に設けられ、細長台形形状の切欠部２０２ａ〜２０２ｄは、裏板部２０２の正面側の辺部と背面側の辺部以外の辺部に形成されている。つまり、切欠部２０２ａは、裏板部２０２の前右側の辺部に設けられ、切欠部２０２ｂは、裏板部２０２の前左側の辺部に設けられ、切欠部２０２ｃは、裏板部２０２の後右側の辺部に設けられ、切欠部２０２ｄは、裏板部２０２の後左側の辺部に設けられている。切欠部２０２ａ〜２０２ｄは、フラップ２２０、２２２、２２４、２２６が下方に折曲する際に、裏板部２０２の辺部が邪魔にならないように形成したものである。
【０１００】
また、裏板部２０２は、角部Ｐａと角部Ｐｂ間に折れ線（裏板部折れ線、２つ折りにするための折れ線）Ｃ２１が形成され、裏板部２０２は折れ線Ｃ２１を介して折曲可能となっている。裏板部２０２において、折れ線Ｃ２１を介して正面側の領域が裏板部構成部２０２−１となり、背面側の領域が裏板部構成部２０２−２となる。
【０１０１】
また、帯状部２０３は、裏板部２０２の正面側の辺部の両側から形成され、帯状に形成されている。つまり、裏板部２０２の正面側の辺部において切欠部を形成した部分以外の部分に形成されている。
【０１０２】
また、表板部２０４は、帯状部２０３から折れ線を介して連設され、略正六角形の一部をなし、正面側の辺部２０４−１と、正面側の辺部２０４−１の右側面側の端部から連設された前右側の辺部２０４−２と、正面側の辺部２０４−１の左側面側の端部から連設された前左側の辺部２０４−３と、前右側の辺部２０４−２の背面側の端部から連設された後右側の辺部２０４−４と、前左側の辺部２０４−３の背面側の端部から連設された後左側の辺部２０４−５と、後右側の辺部２０４−４の背面側の端部と後左側の辺部２０４−５の背面側の端部間を結ぶ背面側の辺部２０４−６とで囲まれた形状を呈している。
【０１０３】
ここで、辺部２０４−１と辺部２０４−２間の角部を角部Ｐ１とし、辺部２０４−１と辺部２０４−３間の角部を角部Ｐ２とし、辺部２０４−２と辺部２０４−４間の角部を角部Ｐ３とし、辺部２０４−３と辺部２０４−５間の角部を角部Ｐ４とし、辺部２０４−４と辺部２０４−６間の角部を角部Ｐ５とし、辺部２０４−５と辺部２０４−６間の角部を角部Ｐ６とする。
【０１０４】
ここで、角部Ｐ１と角部Ｐ２とを結んだ直線と、角部Ｐ１と角部Ｐ３を結んだ直線（以下「Ｐ１−Ｐ３間直線」とする）と、角部Ｐ２と角部Ｐ４とを結んだ直線（以下「Ｐ２−Ｐ４間直線」とする）と、角部Ｐ３と角部Ｐ４とを結んだ直線（以下「Ｐ３−Ｐ４間直線」とする）が形成する台形形状は、正六角形の半分を形成し、角部Ｐ１と角部Ｐ２とを結んだ直線の長さ（以下「Ｐ１−Ｐ２間長さ」とする）と、角部Ｐ１と角部Ｐ３を結んだ直線の長さ（以下「Ｐ１−Ｐ３間長さ」とする）と、角部Ｐ２と角部Ｐ４とを結んだ直線の長さ（以下「Ｐ２−Ｐ４間長さ」とする）は、同一（略同一としてもよい）に形成されている。
【０１０５】
また、Ｐ３−Ｐ４間直線に対して辺部２０４−４がなす角度α１は、Ｐ３−Ｐ４間直線に対してＰ１−Ｐ３間直線がなす角度α２と同一であり、Ｐ３−Ｐ４間直線に対して辺部２０４−５がなす角度α３は、Ｐ３−Ｐ４間直線に対してＰ２−Ｐ４間直線がなす角度α４と同一となっている。
【０１０６】
また、角部Ｐ３と角部Ｐ５間の直線の長さ（以下「Ｐ３−Ｐ５間長さ」とする）と角部Ｐ４と角部Ｐ６間の直線の長さ（以下「Ｐ４−Ｐ６間長さ」とする）は同一（略同一としてもよい）であるが、Ｐ３−Ｐ５間長さやＰ４−Ｐ６間長さは、Ｐ１−Ｐ３間長さやＰ２−Ｐ４間長さよりも短く形成されている。なお、辺部２０４−６は、Ｐ３−Ｐ４間直線と平行となっている。
【０１０７】
以上のようにして、表板部２０４は、略正六角形の半分よりＰ３−Ｐ４間直線とＰ５−Ｐ６間直線間の領域分も大きく形成され、略正六角形の半分をなす略台形形状と略正六角形の半分をなす略台形形状の一部（正面側の一部）とを合わせた形状を有するといえる。つまり、表板部２０４は、折れ線Ｃ２１を跨いで形成されている。なお、表板部２０４と表板部２０６を逆として、表板部２０６が折れ線Ｃ２１を跨いだ構成としてもよい。
【０１０８】
また、辺部２０４−２においては、フラップ２２０との間の一対の折れ線間に略コ字状の切込み２０４ａが形成されているので、辺部２０４−２に沿って切込み２０４ａによる切欠部が形成されている。また、同様に、辺部２０４−３においては、フラップ２２２との間の一対の折れ線間に略コ字状の切込み２０４ｂが形成されているので、辺部２０４−３に沿って切込み２０４ｂによる切欠部が形成されている。
【０１０９】
また、フラップ２２０は、略台形形状を呈し、表板部２０４側に切込み２０４ａによる突状部が形成されている。また、フラップ２２２は、略台形形状を呈し、表板部２０４側に切込み２０４ｂによる突状部が形成されている。
【０１１０】
また、帯状部２０５は、裏板部２０２の背面側の辺部の両側から形成され、帯状に形成されている。つまり、裏板部２０２の背面側の辺部において切欠部を形成した部分以外の部分に形成されている。
【０１１１】
また、表板部２０６は、帯状部２０３から折れ線を介して連設され、略正六角形の一部をなし、背面側の辺部２０６−１と、背面側の辺部２０６−１の右側面側の端部Ｐ１１から連設された後右側の辺部２０６−２と、正面側の辺部２０６−１の左側面側の端部Ｐ１２から連設された後左側の辺部２０６−３と、後右側の辺部２０６−２の背面側の端部Ｐ１３と後左側の辺部２０６−３の背面側の端部Ｐ１４間を結ぶ背面側の辺部２０６−４とで囲まれた形状を呈している。
【０１１２】
ここで、辺部２０６−１と辺部２０６−２間の角部を角部Ｐ１１とし、辺部２０６−１と辺部２０６−３間の角部を角部Ｐ１２とし、辺部２０６−２と辺部２０６−４間の角部を角部Ｐ１３とし、辺部２０６−３と辺部２０６−４間の角部を角部Ｐ１４とする。
【０１１３】
ここで、角部Ｐ１１と角部Ｐ１２とを結んだ直線と、角部Ｐ１１と角部Ｐ１３とを結んだ直線（以下「Ｐ１１−Ｐ１３間直線」とする）と角部Ｐ１２と角部１４とを結んだ直線（以下「Ｐ１２−Ｐ１４間直線」とする）と、角部Ｐ１３と角部Ｐ１４とを結んだ直線が形成する台形形状は、正六角形の判断の大きさよりも小さく、正六角形の判断の大きさに比べて、角部Ｐ１１と角部Ｐ１３とを結んだ直線と、角部Ｐ１２と角部Ｐ１４とを結んだ直線の長さが短く形成されている。つまり、Ｐ１１−Ｐ１３間直線の長さは、Ｐ１−Ｐ２間直線の長さから辺部２０４−４の長さを減じた長さであり、Ｐ１２−Ｐ１４間直線の長さは、Ｐ２−Ｐ４間直線の長さから辺部２０４−５の長さを減じた長さとなっている。
【０１１４】
これにより、棚部本体２０１を平板状に展開した状態では、表板部２０４のＰ５−Ｐ６間直線に沿った辺部と表板部２０６のＰ１３−Ｐ１４間直線に沿った辺部とが対向して接し、表板部２０４と表板部２０６とで略正六角形の１つの載置面が形成され、表板部２０４の角部Ｐ１、Ｐ２、Ｐ３、Ｐ４と表板部２０６の角部Ｐ１１、Ｐ１２とで正六角形の６つの角部が構成される。棚部本体２０１を展開した状態では、裏板部２０２における折れ線Ｃ２１と、表板部２０２と表板部２０４が対向する位置（つまり、表板部２０４のＰ５−Ｐ６間直線に沿った辺部と表板部２０６のＰ１３−Ｐ１４間直線に沿った辺部）が、平面視において前後方向にずれた位置にあることになる。
【０１１５】
また、辺部２０６−２においては、フラップ２２４との間の一対の折れ線間に略コ字状の切込み２０６ａが形成されているので、辺部２０６−２に沿って切込み２０６ａによる切欠部が形成されている。また、同様に、辺部２０６−３においては、フラップ２２６との間の一対の折れ線間に略コ字状の切込み２０６ｂが形成されているので、辺部２０６−３に沿って切込み２０６ｂによる切欠部が形成されている。
【０１１６】
また、表板部２０６の差込み片部２１０との境界位置には、帯状の開口部（突状部係止部）２０６Ｋが形成され、内板部１１２における突状部１１３が差込み可能となっている。
【０１１７】
また、フラップ２２４は、略台形形状を呈し、表板部２０６側に切込み２０６ａによる突状部が形成されている。また、フラップ２２６は、略台形形状を呈し、表板部２０６側に切込み２０６ｂによる突状部が形成されている。
【０１１８】
また、差込み片部（棚部正面側差込み片部）２０８は、表板部２０４の正面側の辺部から突出して形成され、略台形形状を呈している。また、差込み片部（棚部正面側差込み片部）２１０は、表板部２０６の背面側の辺部から突出して形成され、略台形形状を呈している。
【０１１９】
以上のようにして、フラップ２２０、２２２、２２４、２２６と表板部の境界位置に切込みを形成してフラップから表板部側に突出した突状部を形成することにより、フラップを表板部に対して折曲した際に該切込み形成位置に形成される穴部により内板部６２、８２、１３２、１５２の突状部が係止する係止部が構成される。
【０１２０】
また、棚部本体２０１は、棚部本体２０１を展開した状態（つまり、表板部２０４のＰ５−Ｐ６間直線に沿った辺部と表板部２０６のＰ１３−Ｐ１４間直線に沿った辺部とを対向させて接した状態）では、六角筒状に形成した陳列台本体５内に収納可能な大きさに形成されている。つまり、展開した状態の棚部本体２０１の外形の大きさは、六角筒状に形成した陳列台本体５の内側の断面積（横断面積）と略同一の（又は若干小さい）大きさとなっている。
【０１２１】
なお、陳列台本体５の上側に取り付けられる棚部２００と下側に取り付けられる棚部２００とは同じ構成であるが、下側に取り付ける棚部２００については、開口部２０６Ｋを省略してもよい。
【０１２２】
棚部２００が陳列台本体５の上側に取り付けられた状態では、差込み片部２０８は、内板部４２の被差込み部４２ａに差し込まれて内板部４２に接着され、差込み片部２１０は、被差込み部１０２Ｋａに差し込まれ、下方に折曲した状態で背面部本体１０２の外側の面に接着される。また、フラップ２２０、２２２は表板部２０４に対して下方に折曲した状態であり、また、フラップ２２４、２２６は表板部２０６に対して下方に折曲した状態である。よって、棚部２００が内板部４２と背面部本体１０２に接着されるので、棚部２００の陳列台本体５への固定を強固とすることができる。
【０１２３】
棚部２００が陳列台本体５の下側に取り付けられた状態では、差込み片部２０８は、内板部４６の被差込み部４６ａに差し込まれて内板部４６に接着され、差込み片部２１０は、被差込み部１０２Ｋｂに差し込まれ、下方に折曲した状態で背面部本体１０２の外側の面に接着される。また、フラップ２２０、２２２は表板部２０４に対して下方に折曲した状態であり、また、フラップ２２４、２２６は表板部２０６に対して下方に折曲した状態である。よって、棚部２００が内板部４６と背面部本体１０２に接着されるので、棚部２００の陳列台本体５への固定を強固とすることができる。
【０１２４】
上記構成の陳列台１の使用状態について説明する。陳列台１は、図１２、図１３に示すように扁平に折り畳んだ状態にすることができるので、保管や運搬に際して省スペースを図ることができる。
【０１２５】
すなわち、前右部５１と後右部１４１間の角度を小さくし、前左部７１と後左部１２１間の角度を小さくして、正面部２１と背面部１０１間の距離を短くすることにより、陳列台本体５が折り畳まれ、また、棚部２００については、陳列台本体５を折り畳むことにより、裏板部２０２が折れ線Ｃ２１を介して折曲して、裏板部構成部２０２−１の底面側の面と裏板部構成部２０２−２の底面側の面とが対向した状態となり、棚部２００が折り畳んだ状態となる。
【０１２６】
なお、陳列台本体５を折り畳んだ状態では、正面構成部２０における下部正面部２４と帯状部４４と内板部４６とを平板状とし（つまり、帯状部４４が下部正面部２４に対して折曲せず、内板部４６が帯状部４４に対して折曲していない状態とし）、前右構成部５０を平板状とし（つまり、帯状部６０が前右部５１に対して折曲せず、内板部６２が帯状部６０に対して折曲してない状態とし、帯状部６６が前右部５１に対して折曲せず、内板部６８が帯状部６６に対して折曲してない状態とし、差込み部６４が前右部５１に対して折曲しない状態とする）、前左構成部７０を平板状とし（つまり、帯状部８０が前左部７１に対して折曲せず、内板部８２が帯状部８０に対して折曲してない状態とし、帯状部８６が前左部７１に対して折曲せず、内板部８８が帯状部８６に対して折曲してない状態とし、差込み部８４が前左部７１に対して折曲しない状態とする）、背面構成部１００を平板状とし（つまり、帯状部１１０が背面部１０１に対して折曲せず、内板部１１２が帯状部１１０に対して折曲してない状態とし、フラップ１１４が背面部１０１に対して折曲しない状態とする）、後左構成部１２０を平板状とし（つまり、帯状部１３０が後左部１２１に対して折曲せず、内板部１３２が帯状部１３０に対して折曲してない状態とする）、後右構成部１４０を平板状とする（つまり、帯状部１５０が後右部１４１に対して折曲せず、内板部１５２が帯状部１５０に対して折曲してない状態とする）ことにより陳列台１をより扁平に折り畳むことができる。
【０１２７】
なお、陳列台１を折り畳んだ状態においても、正面構成部２０において、帯状部４０は、上部正面部２２に対して内側に折曲し、内板部４２は帯状部４０に対して下方に折曲し、上部正面部２２と内板部４２とは略平行となっており、また、帯状部４４は、下部正面部２４に対して内側に折曲し、内板部４６は帯状部４４に対して下方に折曲し、下部正面部２４と内板部４６とは略平行となっている。
【０１２８】
上記のように折り畳んだ状態の陳列台１を組立て状態にするには、陳列台本体５を六角筒状に広げる（図１４参照）。すると、折り畳まれた棚部２００が展開状態となり、表板部２０４のＰ５−Ｐ６間直線に沿った辺部と表板部２０６のＰ１３−Ｐ１４間直線に沿った辺部とが対向して接して、２つの表板部２０４、２０６により１枚の平板状に形成される。
【０１２９】
その後、上側の棚部（第１棚部）２００については、内板部６２を帯状部６０を介して前右部５１に対して内側に折り返した状態として、突状部６３を棚部２００における切込み２０４ａにより形成された穴部２０４ａ’（突状部係止部）に係止させ、内板部８２を帯状部８０を介して前左部７１に対して内側に折り返した状態として、突状部８３を棚部２００における切込み２０４ｂにより形成された穴部２０４ｂ’（突状部係止部）に係止させ、内板部１１２を帯状部１１０を介して背面部１０１に対して内側に折り返した状態として、突状部１１３を開口部２０６Ｋに係止させ、内板部１３２を帯状部１３０を介して後左部１２１に対して内側に折り返した状態として、突状部１３３を棚部２００における切込み２０６ｂにより形成された穴部２０６ｂ’（突状部係止部）に係止させ、内板部１５２を帯状部１５０を介して後右部１４１に対して内側に折り返した状態として、突状部１５３を棚部２００における切込み２０６ａにより形成された穴部２０６ａ’（突状部係止部）に係止させることにより、棚部２００を展開状態を維持した状態とする。
【０１３０】
同様に、下側の棚部（第２棚部）２００については、内板部６８を帯状部６６を介して前右部５１に対して内側に折り返した状態として、突状部６８ａを棚部２００における切込み２０４ａにより形成された穴部（突状部係止部）に係止させ、内板部８８を帯状部８６を介して前左部７１に対して内側に折り返した状態として、突状部８８ａを棚部２００における切込み２０４ｂにより形成された穴部（突状部係止部）に係止させることにより、棚部本体２０１を展開状態を維持した状態とする。
【０１３１】
また、折曲げ片部１２４、１６４と、折曲げ片部１２６、１６６と、折曲げ片部１４４、１７４と、折曲げ片部１４６、１７６を内側に折り曲げた状態とすることにより、陳列台本体５を六角筒状に固定させることができる。
【０１３２】
なお、差込み部６４は、前右部５１に対して内側に折り曲げた状態とし、差込み部８４は、前左部７１に対して内側に折り曲げた状態として、陳列台本体５の下端を設置面に接した状態とする。
【０１３３】
上記のようにして陳列台１を組立て状態にすることにより、２つの棚部の上面に被陳列物を陳列することができる。
【０１３４】
なお、上記のように、棚部本体２０１を平板状にした状態では、裏板部２０２における折れ線Ｃ２１と、表板部２０４と表板部２０６が対向する位置が、前後方向にずれた位置にある（つまり、表板部２０４が折れ線Ｃ２１を跨いで形成されている）ので、被陳列物を載置した場合でも、棚部本体２０１の強度を保つことができ、棚部本体２０１の平板状の状態に保つことができる。つまり、仮に、表板部２０４と表板部２０６が対向する位置が折れ線Ｃ２１と一致している場合には、被陳列物を載置した場合に、棚部本体２０１における裏板部２０２が折れ線Ｃ２１の箇所で下向きに折曲するとともに、表板部２０４、２０６における該対向位置側が下方に沈んでしまうおそれがあるが、本実施例では、裏板部２０２における折れ線Ｃ２１と、表板部２０４と表板部２０６が対向する位置が、前後方向にずれた位置にあるので、棚部本体２０１の強度を保つことができる。よって、従来例のように、六角筒状の陳列台本体の内側に柱板を設け、該柱板に棚部を接着させる必要がなく、柱板がなくても棚部の強度を保つことができ、平板状の状態を保つことができる。
【０１３５】
また、上側の棚部２００には、内板部６２の突状部６３と、内板部８２の突状部８３と、内板部１３２の突状部１３３と、内板部１５２の突状部１５３を係止させるので、棚部本体２０１の平板状の状態を保つことができ、柱板がなくても棚部の強度を保つことができる。また、下側の棚部２００には、内板部６８の突状部６８ａと、内板部８８の突状部８８ａを係止させるので、棚部本体２０１の平板状の状態を保つことができる。
【０１３６】
以上のようにして、棚部２００の平板状の状態を保つことができるので、陳列台１が不用意に折り畳んでしまうことがなく、略六角柱状の状態を維持することができる。
【０１３７】
また、陳列台１を積み重ね状態で使用するには、２つの組立て状態の陳列台１を用意し、下側の陳列台１については、背面構成部１００において、差込み片部１０６の両側の突状部１０４、１０５を内側に折り返した状態としておく（図１６参照）。つまり、内板部１１２を上方に立ち上げた状態としておき、その状態で、突状部１０４、１０５を背面部本体１０２の内側に折り返した状態とし、その後、内板部１１２を帯状部１１０を介して内側に折り返した状態として、突状部１１３を開口部２０６Ｋに係止させる。つまり、差込み片部１０６の開口部１１４ａへの差込みを容易とするために突状部１０４、１０５を内側に折り返した状態としておく。
【０１３８】
次に、上側に設置する陳列台１については、下部正面部２４の切目線２４Ｋと、前右部５１の切目線５１Ｋと、前左部７１の切目線７１Ｋを破断し、図１５に示すように、前右開き部５４を帯状部５５を介して前右部本体５２に対して内側に折り返した状態とし、さらに、正面右開き部２８を後右部本体１４２の内側に沿った状態とするとともに、前左開き部７４を帯状部７５を介して前左部本体７２に対して内側に折り返した状態とし、さらに、正面左開き部３０を後左部本体１２２の内側に沿った状態とする。これにより、差込み部６４と差込み部８４が帯状部を介して折り返して２つ折りに折曲された状態となる。また、差込み部６４は、前右部本体５２の下方に延ばした状態とし、差込み部８４は、前左部本体７２の下方に延ばした状態とする。
【０１３９】
そして、上側に設置する陳列台１を下側の陳列台１の上方に移動させ、上側の陳列台１の差込み部６４、８４とフラップ１１４を所定の被差込み部に差し込む。すなわち、差込み部６４を帯状部６０ａと帯状部６０ｂ間の穴部（被差込み部）に差し込み、差込み部８４を帯状部８０ａと帯状部８０ｂ間の穴部（被差込み部）に差し込み、さらに、フラップ１１４を帯状部１１０ａと帯状部１１０ｂ間の穴部（被差込み部）に差し込む。
【０１４０】
差込み部６４、８４とフラップ１１４を行ったら、下側の陳列台１の各差込み片部を差し込んで係止する。すなわち、差込み片部５６を前右部本体５２に対して内側に折曲した状態で開口部６５ａと開口部６５ｂにより形成された開口部（被差込み部）に差し込んで係止させ、差込み片部７６を前左部本体７２に対して内側に折曲した状態で開口部８５ａと開口部８５ｂにより形成された開口部（被差込み部）に差し込んで係止させ、さらに、差込み片部１０６を背面部本体１０２に対して内側に折曲した状態で開口部１１４ａに差し込んで係止させる。
【０１４１】
以上のようにして、図１７、図１８に示すように、２つの陳列台１を積み重ね状態とすることができ、上段の陳列台１における上側の棚部２００の他に３つの陳列スペースを確保することができる。つまり、各陳列台における下側の棚部２００のみならず、正面右開き部２８、正面左開き部３０、前右開き部５４、前左開き部７４の領域を開状態として上側の陳列台１の下側における正面及びその両側を開状態とすることにより、下側の陳列台１の上側の棚部２００も陳列スペースとして利用することができる。
【０１４２】
以上のようにして、陳列スペースを多くすることができ、特に、同じ構成の２つの陳列台１を用いて陳列スペースを増大できるので、少ないコストで陳列スペースの増大を図ることができる。なお、差込み部６４、８４は、２つ折りに重なった状態で差し込まれるので、下側の陳列台１との連結を強固にできる。
【０１４３】
なお、上記の説明においては、陳列台本体５は、第１構成部１０と第２構成部１５により構成されるとしたが、陳列台本体５を１枚のブランクにより構成してもよい。すなわち、前右構成部５０の正面構成部２０とは反対側の辺部から折れ線を介して後右構成部１４０が連設され、後右構成部１４０からさらに背面構成部１００、後左構成部１２０、糊代部１６０が連設される構成とする。このように構成する場合には、糊代部１７０の構成は省略され、前右部５１において、切欠部５１ｂ、５１ｃの構成は省略され、折曲げ片部１７４、１７６は、前右部５１側に設けられることになる。
【０１４４】
また、上記の説明では、開口部ＫＡは、筒状部６に１つ設けられ、該開口部ＫＡの位置に設けられる棚部２００（つまり、上端に設けられる棚部２００Ａ以外の棚部２００）は、１つであるとしたが、開口部ＫＡを上下方向に間隔を介して複数設け、開口部ＫＡの位置に設ける棚部２００を複数としてもよい。
【０１４５】
また、上記の説明においては、帯状部４０、４４、５５、６０、６６、７５、８０、８６、１１０、１３０、１５０を設け、これらの帯状部を介して折返しを容易としているが、これらの帯状部を省略した構成としてもよい。
【０１４６】
なお、上記の説明においては、正面部２１以外の全ての側面部（つまり、前右部５１、前左部７１、背面部１０１、後左部１２１、後右部１４１）が特定側面部であり、該特定側面部の上端から内板部が形成されているが、特定側面部は、後右部１４１と背面部１０１と後左部１２１における少なくともいずれかと前右部５１と前左部７１であればよく、例えば、前右部５１と前左部７１と背面部１０１のみとしてもよく、また、前右部５１と前左部７１と後左部１２１と後右部１４１のみとしてもよく、これらの特定側面部から内板部を設けるようにしてもよい。
【０１４７】
また、上記の説明では、抽出特定側面部は、背面部１０１と前右部５１と前左部７１であるとしたが、抽出特定側面部は、特定側面部における後右部１４１と背面部１０１と後左部１２１における少なくともいずれかと前右部５１と前左部７１であればよく、例えば、前右部５１と前左部７１と後左部１２１と後右部１４１としてもよい。
【０１４８】
また、上記の説明では、２つの陳列台１を積み重ねる場合について説明したが、３つ以上の陳列台を積み重ねることも可能である。つまり、２つの陳列台１を積み重ねた状態で、さらに、他の陳列台１を下から２番目の陳列台１と同じ要領で積み重ねればよい。
【符号の説明】
【０１４９】
１  陳列台
５  陳列台本体
６  筒状部
１０  第１構成部
１５  第２構成部
２０  正面構成部
２１  正面部
２２  上部正面部
２４  下部正面部
２６  下部正面部本体
２８  正面右開き部
３０  正面左開き部
４０  帯状部
４２  内板部
４２ａ  被差込み部
４４  帯状部
４６  内板部
４６ａ  被差込み部
５０  前右構成部
５１  前右部
５２  前右部本体
５４  前右開き部
５５  帯状部
５６  差込み片部
６０  帯状部
６２  内板部
６３  突状部
６４  差込み部
６６  帯状部
６８  内板部
６８ａ  突状部
７０  前左構成部
７１  前左部
７２  前左部本体
７４  前左開き部
７５  帯状部
７６  差込み片部
８０  帯状部
８２  内板部
８３  突状部
８４  差込み部
８６  帯状部
８８  内板部
８８ａ  突状部
１００  背面構成部
１０１  背面部
１０２  背面部本体
１０４、１０５  突状部
１０６  差込み片部
１１０  帯状部
１１２  内板部
１１３  突状部
１１４  フラップ
１２０  後左構成部
１２１  後左部
１２２  後左部本体
１２４、１２６  折曲げ片部
１３０  帯状部
１３２  内板部
１４０  後右構成部
１４１  後右部
１４２  後右部本体
１４４、１４６  折曲げ片部
１５０  帯状部
１５２  内板部
１６０  糊代部
１７０  糊代部
２００  棚部
２０１  棚部本体
２０２  裏板部
２０４  表板部
２０４ａ’、２０４ｂ’、２０６ａ’、２０６ｂ’  穴部
２０６  表板部
２０６Ｋ  開口部
２２０、２２２、２２４、２２６  フラップ
２０８、２１０  差込み片部
【図１】
0003187776.tif 000003
【図２】
0003187776.tif 000004
【図３】
0003187776.tif 000005
【図４】
0003187776.tif 000006
【図５】
0003187776.tif 000007
【図６】
0003187776.tif 000008
【図７】
0003187776.tif 000009
【図８】
0003187776.tif 000010
【図９】
0003187776.tif 000011
【図１０】
0003187776.tif 000012
【図１１】
0003187776.tif 000013
【図１２】
0003187776.tif 000014
【図１３】
0003187776.tif 000015
【図１４】
0003187776.tif 000016
【図１５】
0003187776.tif 000017
【図１６】
0003187776.tif 000018
【図１７】
0003187776.tif 000019
【図１８】
0003187776.tif 000020